(57)【特許請求の範囲】
【請求項１】
ターゲット近距離通信（ＮＦＣ）デバイスによって、イニシエータＮＦＣデバイスから前記ターゲットＮＦＣデバイスへの送信に使用されるべき第１のビットレート値と、前記ターゲットＮＦＣデバイスから前記イニシエータＮＦＣデバイスへの送信に使用されるべき第２のビットレート値とを含むパラメータ選択要求を受信することと、前記第１のビットレート値は前記第２のビットレート値と異なり、ピア通信において各々の方向に異なるビットレートを使用することを可能にするために、前記第１のビットレート値はさらに、前記ターゲットＮＦＣデバイスおよび前記イニシエータＮＦＣデバイスの状態に基づいて、現在のビットレートの維持を促す値、または前記現在のビットレートとは異なるビットレートの使用を促す値、で構成され、前記第２のビットレート値はさらに、前記ターゲットＮＦＣデバイスおよび前記イニシエータＮＦＣデバイスの状態に基づいて、現在のビットレートの維持を促す値、または前記現在のビットレートとは異なるビットレートの使用を促す値、で構成され、
前記第１のビットレート値がターゲット状態の変化を示しているか否かを判断することに基づいて、第１のターゲット状態または第２のターゲット状態のうちの１つを選択することと、ここにおいて前記第１のターゲット状態は第１のＮＦＣ無線周波数（ＲＦ）テクノロジーに基づくピア通信に関連付けられ、前記第２のターゲット状態は第２のＮＦＣ  ＲＦテクノロジーに基づくピア通信に関連付けられる、
前記第１のターゲット状態または前記第２のターゲット状態のうちの前記選択された１つに関連付けられるＮＦＣ  ＲＦテクノロジーに基づく通信を可能にすることと、
を備える無線通信の方法。
【請求項２】
前記イニシエータＮＦＣデバイスにパラメータ選択応答を送信することをさらに備える請求項１に記載の方法。
【請求項３】
前記第１のビットレート値および前記第２のビットレート値の各々は、現在の設定のビットレートの維持を示す値、１０６ｋｂｐｓを示す値、２１２ｋｂｐｓを示す値、または４２４ｋｂｐｓを示す値の中からのビットレート値を含む請求項１に記載の方法。
【請求項４】
前記第１のターゲット状態および前記第２のターゲット状態は各々、ＴＡＲＧＥＴ＿Ａ状態またはＴＡＲＧＥＴ＿Ｆ状態の中からの状態であり、ここにおいて前記ＴＡＲＧＥＴ＿Ａ状態は、ＮＦＣ−Ａ  ＲＦテクノロジーに基づくピア通信に関連付けられ、前記ＴＡＲＧＥＴ＿Ｆ状態は、ＮＦＣ−Ｆ  ＲＦテクノロジーに基づくピア通信に関連付けられる請求項１に記載の方法。
【請求項５】
前記第１のビットレート値は、イニシエータ送信データレート（ＤＳＩ）値であり、前記第２のビットレート値は、イニシエータ受信データレート（ＤＲＩ）値である請求項１に記載の方法。
【請求項６】
イニシエータＮＦＣデバイスによって、前記イニシエータＮＦＣデバイスからターゲットＮＦＣデバイスへの送信に使用されるべき第１のビットレート値と、前記ターゲットＮＦＣデバイスから前記イニシエータＮＦＣデバイスへの送信に使用されるべき第２のビットレート値とを、前記イニシエータＮＦＣデバイスの前に動作可能であったＮＦＣ無線周波数（ＲＦ）テクノロジーに少なくとも部分的に基づいて、判断することと、ピア通信において各々の方向に異なるビットレートを使用することを可能にするために、前記第１のビットレート値はさらに、前記ターゲットＮＦＣデバイスおよび前記イニシエータＮＦＣデバイスの状態に基づいて、現在のビットレートの維持を促す値、または前記現在のビットレートとは異なるビットレートの使用を促す値、で構成され、前記第２のビットレート値はさらに、前記ターゲットＮＦＣデバイスおよび前記イニシエータＮＦＣデバイスの状態に基づいて、現在のビットレートの維持を促す値、または前記現在のビットレートとは異なるビットレートの使用を促す値、で構成され、
ここにおいて、前記イニシエータＮＦＣデバイスの前記前に動作可能であったＮＦＣ  ＲＦテクノロジーは、ＮＦＣ−Ａ  ＲＦテクノロジーおよびＮＦＣ−Ｆ  ＲＦテクノロジーのうちの１つである、
パラメータ選択要求メッセージにて前記ターゲットＮＦＣデバイスに、前記第１のビットレート値および前記第２のビットレート値を送信することと、
前記ターゲットＮＦＣデバイスによって選択された前記ＮＦＣ−Ａ  ＲＦテクノロジーおよび前記ＮＦＣ−Ｆ  ＲＦテクノロジーのうちの１つに応じて、前記第１のビットレート値で、前記イニシエータＮＦＣデバイスから前記ターゲットＮＦＣデバイスへ、通信することと、
を備える無線通信の方法。
【請求項７】
前記パラメータ選択要求メッセージの成功した受信を示すパラメータ選択応答を前記ターゲットＮＦＣデバイスから受信すること、
をさらに備える請求項６に記載の方法。
【請求項８】
前記第１のビットレート値として前記イニシエータＮＦＣデバイスから前記ターゲットＮＦＣデバイスへの送信のための現在のビットレートを示す第１の出力パラメータを生成し、前記第２のビットレート値として前記ターゲットＮＦＣデバイスから前記イニシエータＮＦＣデバイスへの送信のための現在のビットレートを示す第２の出力パラメータを生成することと、
リソリューションプロセスにおける使用のために前記第１および第２の出力パラメータを提供することと、
をさらに備える請求項６に記載の方法。
【請求項９】
前記第１のビットレート値および前記第２のビットレート値の各々は、現在の設定のビットレートの維持を示す値、１０６ｋｂｐｓを示す値、２１２ｋｂｐｓを示す値、または４２４ｋｂｐｓを示す値の中からのビットレート値を含む請求項６に記載の方法。
【請求項１０】
前記第１のビットレート値は、イニシエータ送信データレート（ＤＳＩ）値であり、前記第２のビットレート値は、イニシエータ受信データレート（ＤＲＩ）値である請求項６に記載の方法。
【請求項１１】
コンピュータ実行可能なコードを記憶するコンピュータ読取可能な記憶媒体であって、前記コンピュータ実行可能なコードが、コンピュータに、
ターゲット近距離通信（ＮＦＣ）デバイスによって、イニシエータＮＦＣデバイスから前記ターゲットＮＦＣデバイスへの送信に使用されるべき第１のビットレート値と、前記ターゲットＮＦＣデバイスから前記イニシエータＮＦＣデバイスへの送信に使用されるべき第２のビットレート値とを含むパラメータ選択要求を受信することと、前記第１のビットレート値は前記第２のビットレート値と異なり、ピア通信において各々の方向に異なるビットレートを使用することを可能にするために、前記第１のビットレート値はさらに、前記ターゲットＮＦＣデバイスおよび前記イニシエータＮＦＣデバイスの状態に基づいて、現在のビットレートの維持を促す値、または前記現在のビットレートとは異なるビットレートの使用を促す値、で構成され、前記第２のビットレート値はさらに、前記ターゲットＮＦＣデバイスおよび前記イニシエータＮＦＣデバイスの状態に基づいて、現在のビットレートの維持を促す値、または前記現在のビットレートとは異なるビットレートの使用を促す値、で構成され、
前記第１のビットレート値がターゲット状態の変化を示しているか否かを判断することに基づいて、第１のターゲット状態または第２のターゲット状態のうちの１つを選択することと、ここにおいて前記第１のターゲット状態は第１のＮＦＣ無線周波数（ＲＦ）テクノロジーに基づくピア通信に関連付けられ、前記第２のターゲット状態は第２のＮＦＣ  ＲＦテクノロジーに基づくピア通信に関連付けられる、
前記第１のターゲット状態または前記第２のターゲット状態のうちの前記選択された１つに関連付けられるＮＦＣ  ＲＦテクノロジーに基づく通信を可能にすることと、
を行わせるためのコードを備えている、コンピュータ読取可能な記憶媒体。
【請求項１２】
前記コンピュータ実行可能なコードが、前記コンピュータに、前記イニシエータＮＦＣデバイスにパラメータ選択応答を送信させるためのコードをさらに備える請求項１１に記載のコンピュータ読取可能な記憶媒体。
【請求項１３】
前記第１のビットレート値および前記第２のビットレート値の各々は、現在の設定のビットレートの維持を示す値、１０６ｋｂｐｓを示す値、２１２ｋｂｐｓを示す値、または４２４ｋｂｐｓを示す値の中からのビットレート値を含む請求項１１に記載のコンピュータ読取可能な記憶媒体。
【請求項１４】
前記第１のターゲット状態および前記第２のターゲット状態は各々、ＴＡＲＧＥＴ＿Ａ状態またはＴＡＲＧＥＴ＿Ｆ状態の中からの状態であり、ここにおいて前記ＴＡＲＧＥＴ＿Ａ状態は、ＮＦＣ−Ａ  ＲＦテクノロジーに基づくピア通信に関連付けられ、前記ＴＡＲＧＥＴ＿Ｆ状態は、ＮＦＣ−Ｆ  ＲＦテクノロジーに基づくピア通信に関連付けられる請求項１１に記載のコンピュータ読取可能な記憶媒体。
【請求項１５】
前記第１のビットレート値は、イニシエータ送信データレート（ＤＳＩ）値であり、前記第２のビットレート値は、イニシエータ受信データレート（ＤＲＩ）値である請求項１１に記載のコンピュータ読取可能な記憶媒体。
【請求項１６】
イニシエータＮＦＣデバイスによって、前記イニシエータＮＦＣデバイスからターゲットＮＦＣデバイスへの送信に使用されるべき第１のビットレート値と、前記ターゲットＮＦＣデバイスから前記イニシエータＮＦＣデバイスへの送信に使用されるべき第２のビットレート値とを、前記イニシエータＮＦＣデバイスの前に動作可能であったＮＦＣ無線周波数（ＲＦ）テクノロジーに少なくとも部分的に基づいて、判断することと、ピア通信において各々の方向に異なるビットレートを使用することを可能にするために、前記第１のビットレート値はさらに、前記ターゲットＮＦＣデバイスおよび前記イニシエータＮＦＣデバイスの状態に基づいて、現在のビットレートの維持を促す値、または前記現在のビットレートとは異なるビットレートの使用を促す値、で構成され、前記第２のビットレート値はさらに、前記ターゲットＮＦＣデバイスおよび前記イニシエータＮＦＣデバイスの状態に基づいて、現在のビットレートの維持を促す値、または前記現在のビットレートとは異なるビットレートの使用を促す値、で構成され、
ここにおいて、前記前に動作可能であったＮＦＣ  ＲＦテクノロジーは、ＮＦＣ−Ａ  ＲＦテクノロジーおよびＮＦＣ−Ｆ  ＲＦテクノロジーのうちの１つである、
パラメータ選択要求メッセージにて前記ターゲットＮＦＣデバイスに、前記第１のビットレート値および前記第２のビットレート値を送信することと、
前記ターゲットＮＦＣデバイスによって選択された前記ＮＦＣ−Ａ  ＲＦテクノロジーおよび前記ＮＦＣ−Ｆ  ＲＦテクノロジーのうちの１つに応じて、前記第１のビットレート値で、前記イニシエータＮＦＣデバイスから前記ターゲットＮＦＣデバイスへ、通信することと、
を行うためのコードを備えている
コンピュータ実行可能なコードを記憶する非一時的なコンピュータ読取可能な媒体。
【請求項１７】
前記パラメータ選択要求メッセージの成功した受信を示すパラメータ選択応答を前記ターゲットＮＦＣデバイスから受信するためのコードをさらに備える請求項１６に記載の非一時的なコンピュータ読取可能な媒体。
【請求項１８】
前記第１のビットレート値として前記イニシエータＮＦＣデバイスから前記ターゲットＮＦＣデバイスへの送信のための現在のビットレートを示す第１の出力パラメータと、前記第２のビットレート値として前記ターゲットＮＦＣデバイスから前記イニシエータＮＦＣデバイスへの送信のための現在のビットレートを示す第２の出力パラメータとを生成することと、
リソリューションプロセスにおける使用のために前記第１および第２の出力パラメータを提供することと、
を行うためのコードをさらに備える請求項１６に記載の非一時的なコンピュータ読取可能な媒体。
【請求項１９】
前記第１のビットレート値および前記第２のビットレート値の各々は、現在の設定のビットレートの維持を示す値、１０６ｋｂｐｓを示す値、２１２ｋｂｐｓを示す値、または４２４ｋｂｐｓを示す値の中からのビットレート値を含む請求項１６に記載の非一時的なコンピュータ読取可能な媒体。
【請求項２０】
前記第１のビットレート値は、イニシエータ送信データレート（ＤＳＩ）値であり、前記第２のビットレート値は、イニシエータ受信データレート（ＤＲＩ）値である請求項１６に記載の非一時的なコンピュータ読取可能な媒体。
【請求項２１】
ターゲット近距離通信（ＮＦＣ）デバイスによって、イニシエータＮＦＣデバイスから前記ターゲットＮＦＣデバイスへの送信に使用されるべき第１のビットレート値と、前記ターゲットＮＦＣデバイスから前記イニシエータＮＦＣデバイスへの送信に使用されるべき第２のビットレート値とを含むパラメータ選択要求を受信するための手段と、前記第１のビットレート値は前記第２のビットレート値と異なり、ピア通信において各々の方向に異なるビットレートを使用することを可能にするために、前記第１のビットレート値はさらに、前記ターゲットＮＦＣデバイスおよび前記イニシエータＮＦＣデバイスの状態に基づいて、現在のビットレートの維持を促す値、または前記現在のビットレートとは異なるビットレートの使用を促す値、で構成され、前記第２のビットレート値はさらに、前記ターゲットＮＦＣデバイスおよび前記イニシエータＮＦＣデバイスの状態に基づいて、現在のビットレートの維持を促す値、または前記現在のビットレートとは異なるビットレートの使用を促す値、で構成され、
前記第１のビットレート値がターゲット状態の変化を示しているか否かを判断することに基づいて、第１のターゲット状態または第２のターゲット状態のうちの１つを選択するための手段と、ここにおいて前記第１のターゲット状態は第１のＮＦＣ無線周波数（ＲＦ）テクノロジーに基づくピア通信に関連付けられ、前記第２のターゲット状態は第２のＮＦＣ  ＲＦテクノロジーに基づくピア通信に関連付けられる、
前記第１のターゲット状態または前記第２のターゲット状態のうちの前記選択された１つに関連付けられるＮＦＣ  ＲＦテクノロジーに基づく通信を可能にするための手段と、
を備える無線通信のための装置。
【請求項２２】
前記イニシエータＮＦＣデバイスにパラメータ選択応答を送信するための手段をさらに備える請求項２１に記載の装置。
【請求項２３】
前記第１のビットレート値および前記第２のビットレート値の各々は、現在の設定のビットレートの維持を示す値、１０６ｋｂｐｓを示す値、２１２ｋｂｐｓを示す値、または４２４ｋｂｐｓを示す値の中からのビットレート値を含む請求項２１に記載の装置。
【請求項２４】
前記第１のターゲット状態および前記第２のターゲット状態は各々、ＴＡＲＧＥＴ＿Ａ状態またはＴＡＲＧＥＴ＿Ｆ状態の中からの状態であり、ここにおいて前記ＴＡＲＧＥＴ＿Ａ状態は、ＮＦＣ−Ａ  ＲＦテクノロジーに基づくピア通信に関連付けられ、前記ＴＡＲＧＥＴ＿Ｆ状態は、ＮＦＣ−Ｆ  ＲＦテクノロジーに基づくピア通信に関連付けられる請求項２１に記載の装置。
【請求項２５】
前記第１のビットレート値は、イニシエータ送信データレート（ＤＳＩ）値であり、前記第２のビットレート値は、イニシエータ受信データレート（ＤＲＩ）値である請求項２１に記載の装置。
【請求項２６】
イニシエータＮＦＣデバイスによって、前記イニシエータＮＦＣデバイスからターゲットＮＦＣデバイスへの送信に使用されるべき第１のビットレート値と、前記ターゲットＮＦＣデバイスから前記イニシエータＮＦＣデバイスへの送信に使用されるべき第２のビットレート値とを、前記イニシエータＮＦＣデバイスの前に動作可能であったＮＦＣ無線周波数（ＲＦ）テクノロジーに少なくとも部分的に基づいて、判断するための手段と、ピア通信において各々の方向に異なるビットレートを使用することを可能にするために、前記第１のビットレート値はさらに、前記ターゲットＮＦＣデバイスおよび前記イニシエータＮＦＣデバイスの状態に基づいて、現在のビットレートの維持を促す値、または前記現在のビットレートとは異なるビットレートの使用を促す値、で構成され、前記第２のビットレート値はさらに、前記ターゲットＮＦＣデバイスおよび前記イニシエータＮＦＣデバイスの状態に基づいて、現在のビットレートの維持を促す値、または前記現在のビットレートとは異なるビットレートの使用を促す値、で構成され、
ここにおいて、前記前に動作可能であったＮＦＣ  ＲＦテクノロジーは、ＮＦＣ−Ａ  ＲＦテクノロジーおよびＮＦＣ−Ｆ  ＲＦテクノロジーのうちの１つである、
パラメータ選択要求メッセージにて前記ターゲットＮＦＣデバイスに、前記第１のビットレート値および前記第２のビットレート値を送信するための手段と、
前記ターゲットＮＦＣデバイスによって選択された前記ＮＦＣ−Ａ  ＲＦテクノロジーおよび前記ＮＦＣ−Ｆ  ＲＦテクノロジーのうちの１つに応じて、前記第１のビットレート値で、前記イニシエータＮＦＣデバイスから前記ターゲットＮＦＣデバイスへ、通信するための手段と、
を備える無線通信のための装置。
【請求項２７】
前記パラメータ選択要求メッセージの成功した受信を示すパラメータ選択応答を前記ターゲットＮＦＣデバイスから受信するための手段、
をさらに備える請求項２６に記載の装置。
【請求項２８】
前記第１のビットレート値として前記イニシエータＮＦＣデバイスから前記ターゲットＮＦＣデバイスへの送信のための現在のビットレートを示す第１の出力パラメータと、前記第２のビットレート値として前記ターゲットＮＦＣデバイスから前記イニシエータＮＦＣデバイスへの送信のための現在のビットレートを示す第２の出力パラメータとを生成するための手段と、
リソリューションプロセスにおける使用のために前記第１および第２の出力パラメータを提供するための手段と、
をさらに備える請求項２６に記載の装置。
【請求項２９】
前記第１のビットレート値および前記第２のビットレート値の各々は、現在の設定のビットレートの維持を示す値、１０６ｋｂｐｓを示す値、２１２ｋｂｐｓを示す値、または４２４ｋｂｐｓを示す値の中からのビットレート値を含む請求項２６に記載の装置。
【請求項３０】
前記第１のビットレート値は、イニシエータ送信データレート（ＤＳＩ）値であり、前記第２のビットレート値は、イニシエータ受信データレート（ＤＲＩ）値である請求項２６に記載の装置。
【請求項３１】
メモリと、
前記メモリに接続されたプロセッサと、
イニシエータＮＦＣデバイスからターゲットＮＦＣデバイスへの送信に使用されるべき第１のビットレート値と、前記ターゲットＮＦＣデバイスから前記イニシエータＮＦＣデバイスへの送信に使用されるべき第２のビットレート値とを含むパラメータ選択要求を受信するように構成されたトランシーバと、前記第１のビットレート値は前記第２のビットレート値と異なり、ピア通信において各々の方向に異なるビットレートを使用することを可能にするために、前記第１のビットレート値はさらに、前記ターゲットＮＦＣデバイスおよび前記イニシエータＮＦＣデバイスの状態に基づいて、現在のビットレートの維持を促す値、または前記現在のビットレートとは異なるビットレートの使用を促す値、で構成され、前記第２のビットレート値はさらに、前記ターゲットＮＦＣデバイスおよび前記イニシエータＮＦＣデバイスの状態に基づいて、現在のビットレートの維持を促す値、または前記現在のビットレートとは異なるビットレートの使用を促す値、で構成され、
前記メモリまたは前記プロセッサの少なくとも一方に結合され、前記第１のビットレート値がターゲット状態の変化を示しているか否かを判断することに基づいて、第１のターゲット状態または第２のターゲット状態のうちの１つを選択することと、ここにおいて前記第１のターゲット状態は第１のＮＦＣ無線周波数（ＲＦ）テクノロジーに基づくピア通信に関連付けられ、前記第２のターゲット状態は第２のＮＦＣ  ＲＦテクノロジーに基づくピア通信に関連付けられる、
前記第１のターゲット状態または前記第２のターゲット状態のうちの前記選択された１つに関連付けられるＮＦＣ  ＲＦテクノロジーに基づく通信を可能にすることと、
を行うように構成されるＮＦＣピアモード通信モジュールと、
を備える、ＮＦＣ通信のための装置。
【請求項３２】
前記トランシーバが、前記イニシエータＮＦＣデバイスにパラメータ選択応答を送信する
ようにさらに構成されている請求項３１に記載のＮＦＣ通信のための装置。
【請求項３３】
前記第１のビットレート値および前記第２のビットレート値の各々は、現在の設定のビットレートの維持を示す値、１０６ｋｂｐｓを示す値、２１２ｋｂｐｓを示す値、または４２４ｋｂｐｓを示す値の中からのビットレート値を含む請求項３１に記載のＮＦＣ通信のための装置。
【請求項３４】
前記第１のターゲット状態および前記第２のターゲット状態は各々、ＴＡＲＧＥＴ＿Ａ状態またはＴＡＲＧＥＴ＿Ｆ状態の中からの状態であり、ここにおいて前記ＴＡＲＧＥＴ＿Ａ状態は、ＮＦＣ−Ａ  ＲＦテクノロジーに基づくピア通信に関連付けられ、前記ＴＡＲＧＥＴ＿Ｆ状態は、ＮＦＣ−Ｆ  ＲＦテクノロジーに基づくピア通信に関連付けられる請求項３１に記載のＮＦＣ通信のための装置。
【請求項３５】
前記第１のビットレート値は、イニシエータ送信データレート（ＤＳＩ）値であり、前記第２のビットレート値は、イニシエータ受信データレート（ＤＲＩ）値である請求項３１に記載のＮＦＣ通信のための装置。
【請求項３６】
トランシーバと、
メモリと、
前記メモリに結合されたプロセッサと、
前記メモリまたは前記プロセッサの少なくとも一方に結合され、イニシエータＮＦＣデバイスからターゲットＮＦＣデバイスへの送信に使用されるべき第１のビットレート値と、前記ターゲットＮＦＣデバイスから前記イニシエータＮＦＣデバイスへの送信に使用されるべき第２のビットレート値とを、前記イニシエータＮＦＣデバイスの前に動作可能であったＮＦＣ無線周波数（ＲＦ）テクノロジーに少なくとも部分的に基づいて、判断するように構成され、ピア通信において各々の方向に異なるビットレートを使用することを可能にするために、前記第１のビットレート値はさらに、前記ターゲットＮＦＣデバイスおよび前記イニシエータＮＦＣデバイスの状態に基づいて、現在のビットレートの維持を促す値、または前記現在のビットレートとは異なるビットレートの使用を促す値、で構成され、前記第２のビットレート値はさらに、前記ターゲットＮＦＣデバイスおよび前記イニシエータＮＦＣデバイスの状態に基づいて、現在のビットレートの維持を促す値、または前記現在のビットレートとは異なるビットレートの使用を促す値、で構成され、ここにおいて、前記前に動作可能であったＮＦＣ  ＲＦテクノロジーは、ＮＦＣ−Ａ  ＲＦテクノロジーおよびＮＦＣ−Ｆ  ＲＦテクノロジーのうちの１つである、
ＮＦＣピアモード通信モジュールと、
を備え、
ここにおいて前記トランシーバは、パラメータ選択要求メッセージにて前記ターゲットＮＦＣデバイスに、前記第１のビットレート値および前記第２のビットレート値を送信するように構成され、
前記ターゲットＮＦＣデバイスによって選択された前記ＮＦＣ−Ａ  ＲＦテクノロジーおよび前記ＮＦＣ−Ｆ  ＲＦテクノロジーのうちの１つに応じて、前記第１のビットレート値で、前記イニシエータＮＦＣデバイスから前記ターゲットＮＦＣデバイスへ、通信する、ＮＦＣ通信のための装置。
【請求項３７】
前記トランシーバが、前記パラメータ選択要求メッセージの成功した受信を示すパラメータ選択応答を前記ターゲットＮＦＣデバイスから受信するように構成されている請求項３６に記載のＮＦＣ通信のための装置。
【請求項３８】
前記ＮＦＣピアモード通信モジュールが、
前記第１のビットレート値として前記イニシエータＮＦＣデバイスから前記ターゲットＮＦＣデバイスへの送信のための現在のビットレートを示す第１の出力パラメータと、前記第２のビットレート値として前記ターゲットＮＦＣデバイスから前記イニシエータＮＦＣデバイスへの送信のための現在のビットレートを示す第２の出力パラメータとを生成することと、
リソリューションプロセスにおける使用のために前記第１および第２の出力パラメータを提供することと、
を行うようにさらに構成されている請求項３６に記載のＮＦＣ通信のための装置。
【請求項３９】
前記第１のビットレート値および前記第２のビットレート値の各々は、現在の設定のビットレートの維持を示す値、１０６ｋｂｐｓを示す値、２１２ｋｂｐｓを示す値、または４２４ｋｂｐｓを示す値の中からのビットレート値を含む請求項３６に記載のＮＦＣ通信のための装置。
【請求項４０】
前記第１のビットレート値は、イニシエータ送信データレート（ＤＳＩ）値であり、前記第２のビットレート値は、イニシエータ受信データレート（ＤＲＩ）値である請求項３６に記載のＮＦＣ通信のための装置。
【発明の詳細な説明】
【技術分野】
【０００１】
米国特許法第１１９条に規定の優先権の主張
[0001]この特許出願は、２０１２年４月１０日に出願され、本出願の譲受人に譲渡され、ここでの参照によって本明細書に明示的に組み込まれる「アクティブ通信モードを使用してピア通信を改善するための方法および装置（METHODS AND APPARATUS FOR IMPROVING PEER COMMUNICATIONS USING AN ACTIVE COMMUNICATION MODE）」という名称の仮出願第６１／６２２，２９２号に対する優先権を主張する。
【背景技術】
【０００２】
[0002]開示される態様は、概して、デバイス間および／またはデバイス内の通信に関し、具体的には、ターゲット近距離通信（ＮＦＣ）デバイス（target near field communication device）からイニシエータＮＦＣデバイス（initiator NFC device）へと、イニシエータＮＦＣデバイスからターゲットＮＦＣデバイスへとで、異なるビットレートの使用を可能にすることによって、ピア通信を改善するための方法およびシステムに関する。
【０００３】
[0003]技術の進歩によって、より小型かつより強力なパーソナルコンピュータデバイスがもたらされている。いずれも小型かつ軽量であってユーザによって容易に持ち運ばれうる、例えば、ポータブル無線電話機、携帯情報端末（ＰＤＡ）、およびページングデバイスなどの無線コンピュータデバイスを含む種々のポータブルパーソナルコンピュータデバイスが、現時点において存在している。より具体的には、例えばポータブル無線電話機は、無線ネットワークを介して音声およびデータパケットを通信するセルラー電話機をさらに含む。多くのそのようなセルラー電話機は、ますます強力な演算能力を備えて製造されるようになり、それ自身が小型のパーソナルコンピュータおよびハンドヘルド（hand-held）携帯情報端末と同等になりつつある。さらに、そのようなデバイスは、セルラー通信、無線ローカルエリアネットワーク（ＷＬＡＮ）通信、ＮＦＣ、など、さまざまな周波数および適用可能なカバレージエリアを使用する通信を可能にしている。
【０００４】
[0004]ＮＦＣ対応のデバイスは、ポーリングモード（polling mode）および／またはリスニングモードで動作することができる。ピアモード通信に関するデバイス・アクティベーション・アクティビティ・プロセス（device activation activity process）の一部として、イニシエータＮＦＣデバイスが、ビットレートを指定することができる。ＮＦＣフォーラムアクティビティの仕様書のバージョン１．０は、ピアモードにおいて使用されるべきビットレートを構成することについて、単一のパラメータしか含んでいない。したがって、現時点において、デバイスを各々の方向について異なるビットレートを使用するように構成する手段は、存在しない。
【０００５】
[0005]したがって、ピア通信に関して各々の方向に異なるビットレートを指定することを可能にするメカニズムを提供するための改善された装置および方法が、所望されうる。
【発明の概要】
【０００６】
[0006]以下に、１つ以上の態様の基本的な理解をもたらすために、そのような態様の概要を示す。この概要は、考えられるすべての態様を詳しく見渡すものではなく、すべての態様の主要または重要な構成要素を識別しようとするものでも、いずれかの態様またはすべての態様の範囲を示そうとするものでもない。その目的は、後に提示されるさらに詳細な説明の前置きとして、１つ以上の態様の形態のいくつかの概念を提示することにある。
【０００７】
[0007]種々の態様が、ピア通信の各方向に異なるビットレートを指定できるようにすることに関連して説明される。一例においては、ターゲットＮＦＣデバイスが、イニシエータＮＦＣデバイスからターゲットＮＦＣデバイスへの送信に使用されるべき第１のビットレート値および逆方向（other direction）において使用されるべき第２のビットレート値を含むパラメータ選択要求を受信するように構成されうる。さらに、ターゲットＮＦＣデバイスは、第１のビットレート値に基づいて第１または第２のターゲットサブ状態（target sub-state）のいずれかで機能する（function）ように構成されうる。別の例では、イニシエータＮＦＣデバイスが、イニシエータＮＦＣデバイスからターゲットＮＦＣデバイスへの送信に使用されるべき第１のビットレート値および逆方向において使用されるべき第２のビットレート値を判断するように構成されうる。さらに、イニシエータＮＦＣデバイスは、第１のビットレート値および第２のビットレート値をパラメータ選択要求メッセージにてターゲットＮＦＣデバイスに送信するように構成されうる。
【０００８】
[0008]関連の態様によれば、ピア通信の各方向に異なるビットレートを指定できるようにするための方法が説明される。この方法は、ターゲットＮＦＣデバイスによって、イニシエータＮＦＣデバイスからターゲットＮＦＣデバイスへの送信に使用されるべき第１のビットレート値と、ターゲットＮＦＣデバイスからイニシエータＮＦＣデバイスへの送信に使用されるべき第２のビットレート値とを含むパラメータ選択要求を受信することを含むことができる。この方法はまた、第１のビットレート値に基づいて、第１のターゲットサブ状態または第２のターゲットサブ状態のいずれかで機能することを含むことができる。
【０００９】
[0009]別の態様は、通信装置に関する。この通信装置は、イニシエータＮＦＣデバイスからターゲットＮＦＣデバイスへの送信に使用されるべき第１のビットレート値およびターゲットＮＦＣデバイスからイニシエータＮＦＣデバイスへの送信に使用されるべき第２のビットレート値を含むパラメータ選択要求をターゲットＮＦＣデバイスによって受信するための手段を含むことができる。この通信装置は、第１のビットレート値に基づいて第１のターゲットサブ状態または第２のターゲットサブ状態のいずれかで機能するための手段をさらに含むことができる。
【００１０】
[0010]別の態様は、通信装置に関する。この装置は、イニシエータＮＦＣデバイスからターゲットＮＦＣデバイスへの送信に使用されるべき第１のビットレート値およびターゲットＮＦＣデバイスからイニシエータＮＦＣデバイスへの送信に使用されるべき第２のビットレート値を含むパラメータ選択要求を受信するように構成されたＮＦＣピアモード通信モジュールを含むことができる。ＮＦＣピアモード通信モジュールは、第１のビットレート値に基づいて第１のターゲットサブ状態または第２のターゲットサブ状態のいずれかで機能するようにさらに構成されうる。
【００１１】
[0011]別の態様は、イニシエータＮＦＣデバイスからターゲットＮＦＣデバイスへの送信に使用されるべき第１のビットレート値とターゲットＮＦＣデバイスからイニシエータＮＦＣデバイスへの送信に使用されるべき第２のビットレート値とを含むパラメータ選択要求をターゲットＮＦＣデバイスによって受信するためのコードを備えているコンピュータ読取可能な媒体を有することができるコンピュータプログラム製品に関する。コンピュータ読取可能な媒体は、第１のビットレート値に基づいて第１のターゲットサブ状態または第２のターゲットサブ状態のいずれかで機能するためのコードをさらに含むことができる。
【００１２】
[0012]関連の態様によれば、ピア通信の各方向に異なるビットレートを指定できるようにするための別の方法が説明される。この方法は、イニシエータＮＦＣデバイスからターゲットＮＦＣデバイスへの送信に使用されるべき第１のビットレート値およびターゲットＮＦＣデバイスからイニシエータＮＦＣデバイスへの送信に使用されるべき第２のビットレート値をイニシエータＮＦＣデバイスによって判断することを含むことができる。この方法は、第１のビットレート値および第２のビットレート値をパラメータ選択要求メッセージにてターゲットＮＦＣデバイスに送信することをさらに含むことができる。
【００１３】
[0013]別の態様は、通信装置に関する。この通信装置は、イニシエータＮＦＣデバイスからターゲットＮＦＣデバイスへの送信に使用されるべき第１のビットレート値およびターゲットＮＦＣデバイスからイニシエータＮＦＣデバイスへの送信に使用されるべき第２のビットレート値をイニシエータＮＦＣデバイスによって判断するための手段を含むことができる。この通信装置は、第１のビットレート値および第２のビットレート値をパラメータ選択要求メッセージにてターゲットＮＦＣデバイスに送信するための手段をさらに含むことができる。
【００１４】
[0014]別の態様は、通信装置に関する。この装置は、イニシエータＮＦＣデバイスからターゲットＮＦＣデバイスへの送信に使用されるべき第１のビットレート値およびターゲットＮＦＣデバイスからイニシエータＮＦＣデバイスへの送信に使用されるべき第２のビットレート値を判断するように構成されたＮＦＣピアモード通信モジュールを含むことができる。ＮＦＣピアモード通信モジュールは、第１のビットレート値および第２のビットレート値をパラメータ選択要求メッセージにてターゲットＮＦＣデバイスに送信するようにさらに構成されうる。
【００１５】
[0015]別の態様は、イニシエータＮＦＣデバイスからターゲットＮＦＣデバイスへの送信に使用されるべき第１のビットレート値とターゲットＮＦＣデバイスからイニシエータＮＦＣデバイスへの送信に使用されるべき第２のビットレート値とをイニシエータＮＦＣデバイスによって判断するためのコードを備えているコンピュータ読取可能な媒体を有することができるコンピュータプログラム製品に関する。コンピュータ読取可能な媒体は、第１のビットレート値および第２のビットレート値をパラメータ選択要求メッセージにてターゲットＮＦＣデバイスに送信するためのコードをさらに含むことができる。
【００１６】
[0016]上述の目的および関連の目的を達成するために、１つ以上の態様は、以下で充分に説明され、特許請求の範囲において詳しく指摘される特徴を備える。以下の説明および添付の図面は、１つ以上の態様の特定の例示の特徴を詳しく説明する。しかしながら、これらの特徴は、種々の態様の原理が採用されうる種々の方法のうちのほんの数例を示すにすぎず、この説明は、そのような態様およびそれらの均等物のすべてを含むように意図される。
【００１７】
[0017]開示される態様が、以下で、開示される態様を説明するために用意され、開示される態様を限定するものではない添付の図面に関連して説明され、ここにおいて、同様の称号（designations）は同様の構成要素を指している。
【図面の簡単な説明】
【００１８】
【図１】[0018]図１は、一態様による無線通信システムのブロック図である。
【図２】[0019]図２は、一態様による無線通信システムの概略図である。
【図３】[0020]図３は、一態様によるＮＦＣ環境のブロック図である。
【図４】[0021]図４は、一態様による、ＮＦＣピアモード通信に関して各方向に異なるビットレートを使用する一例を説明する呼のフロー図である。
【図５】[0022]図５は、一態様による、ＮＦＣピアモード通信に関して各方向に異なるビットレートを使用する一例を説明するフロー図である。
【図６】[0023]図６は、一態様による、ＮＦＣピアモード通信に関して各方向に異なるビットレートを使用する別の例を説明するフロー図である。
【図７】[0024]図７は、一態様による通信デバイスの例示的なアーキテクチャの機能ブロック図である。
【図８】[0025]図８は、一態様による、ＮＦＣピアモード通信に関して各方向に異なるビットレートを使用するための例示的な通信システムのブロック図である。
【図９】[0026]図９は、一態様による、ＮＦＣピアモード通信に関して各方向に異なるビットレートを使用するための例示的な通信システムのブロック図である。
【発明を実施するための形態】
【００１９】
[0027]次に、種々の態様を、図面を参照して説明する。以下の説明においては、説明の目的のために、多数の具体的詳細が、１つ以上の態様の充分な理解をもたらすために説明される。しかしながら、（１つまたは複数の）そのような態様が、これらの具体的詳細を備えなくても実施されうることを、理解されよう。
【００２０】
[0028]一般に、デバイスは、ＮＦＣターゲットデバイスおよび／またはタグを、ＮＦＣデバイスおよび／またはタグのカバレージエリアの範囲内にあるときに認識することができる。その後に、デバイスは、通信の確立を可能にするための充分な情報を得ることができる。確立されうる通信の一形態は、ピアツーピア通信リンクである。本明細書に記載されるとおり、イニシエータＮＦＣデバイスが、ＮＦＣピアモード通信に関して各々の方向に異なるビットレートが使用されうることをターゲットＮＦＣデバイスに示すように構成されうる。
【００２１】
[0029]図１が、本発明の種々の例示的な実施形態による無線通信システム１００を示している。入力電力１０２が、エネルギーの伝送（transfer）を提供する放射界（radiated field）１０６を生成するために送信機１０４に供給される。受信機１０８が、放射界１０６に結合し、出力電力１１０に接続されたデバイス（図示されていない）による記憶または消費のために出力電力１１０を生成する。送信機１０４および受信機１０８の両者は、距離１１２によって隔てられている。例示的な実施形態においては、送信機１０４および受信機１０８が、相互の共振の関係に従って構成され、受信機１０８の共振周波数と送信機１０４の共振周波数とがきわめて近いとき、送信機１０４と受信機１０８との間の送信ロス（transmission losses）は、受信機１０８が放射界１０６の「近接場（near-field）」に位置する場合に最小限である。
【００２２】
[0030]送信機１０４は、エネルギーの送信のための手段を提供するための送信アンテナ１１４をさらに含んでいる。受信機１０８は、エネルギーの受信のための手段としての受信アンテナ１１８を含んでいる。送信および受信アンテナは、アンテナに関する用途およびデバイスに応じて寸法付けられている。上述のように、効率的なエネルギーの伝送が、エネルギーのほとんどを電磁波にて遠距離場（far field）に伝播させるのではなく、送信アンテナの近接場のエネルギーの大部分を受信アンテナに結合させることによって生じる。この近接場にあるとき、結合モード（coupling mode）が、送信アンテナ１１４と受信アンテナ１１８との間に生成され（be developed）うる。この近接場の結合が生じうるアンテナ１１４および１１８の周囲の領域が、本明細書において結合モード領域と称される。
【００２３】
[0031]図２が、例示的な近接場無線通信システムの概略図である。送信機２０４が、発振器２２２と、電力増幅器２２４と、フィルタおよび整合回路２２６とを含んでいる。発振器は、調節信号２２３に応答して調節されうる所望の周波数で信号を生成するように構成される。発振器の信号は、電力増幅器２２４によって制御信号２２５に応じた増幅量にて増幅されうる。フィルタおよび整合回路２２６は、高調波（harmonics）または他の望ましくない周波数を取り除く（filter out）とともに、送信機２０４のインピーダンスを送信アンテナ２１４に整合させるために含まれうる。
【００２４】
[0032]受信機２０８は、図２に示されるようにバッテリー２３６を充電し、あるいは受信機に結合されたデバイス（図示されていない）に電力を供給すべく、ＤＣ電力の出力を生成するために、整合回路２３２と、整流器（rectifier）およびスイッチング回路２３４とを含むことができる。整合回路２３２は、受信機２０８のインピーダンスを受信アンテナ２１８に整合させるために含まれうる。受信機２０８および送信機２０４は、別途の通信チャネル２１９（例えば、Ｂｌｕｅｔｏｏｔｈ（登録商標）、ｚｉｇｂｅｅ、セルラー、など）において通信することができる。
【００２５】
[0033]受信機２０８は、図２に示されるようにバッテリー２３６を充電し、あるいは受信機に結合されたデバイス（図示されていない）を動作させるべく、ＤＣ電力の出力を生成するために、整合回路２３２と、整流器およびスイッチング回路２３４とを含むことができる。整合回路２３２は、受信機２０８のインピーダンスを受信アンテナ２１８に整合させるために含まれうる。受信機２０８および送信機２０４は、別途の通信チャネル１１９（例えば、Ｂｌｕｅｔｏｏｔｈ、ｚｉｇｂｅｅ、セルラー、など）において通信することができる。
【００２６】
[0034]図３を参照すると、一態様による通信ネットワーク３００のブロック図が示されている。通信ネットワーク３００は、アンテナ３２４を介して１つ以上のＮＦＣ技術３２６（例えば、ＮＦＣ−Ａ、ＮＦＣ−Ｂ、ＮＦＣ−Ｆ、など）を使用してリモートＮＦＣデバイス３３０と通信することができる通信デバイス３１０を含むことができる。一態様においては、リモートＮＦＣデバイス３３０および／または通信デバイス３１０が、１つ以上のＲＦプロトコル３３６を使用して１つ以上のＲＦインターフェイス３３４を介してＮＦＣピアモード通信モジュール３３２によって通信するように動作可能であってよい。さらに、ＮＦＣピアモード通信モジュール３３２は、通信デバイス３１０からの通信および通信デバイス３１０への通信に使用するためのビットレートを判断するように動作することができるビットレートモジュール３３８を含むことができる。一態様においては、ビットレートモジュール３３８に、ＮＦＣピアモード通信に関して各々の方向に使用するための異なるビットレート値が提供されうる。別の態様においては、通信デバイス３１０が、アクセスネットワークおよび／またはコアネットワーク（例えば、ＣＤＭＡネットワーク、ＧＰＲＳネットワーク、ＵＭＴＳネットワーク、ならびに他の種類の有線および無線の通信ネットワーク）に接続されるように動作可能であってよい。一態様においては、リモートＮＦＣデバイス３３０が、これらに限られるわけではないが、リモートＮＦＣタグ、リーダー／ライターデバイス（reader/writer device）、ピアイニシエータデバイス、リモートピアターゲットデバイス、などを含むことができる。
【００２７】
[0035]通信デバイス３１０は、ＮＣＩ３２０を含むことができる。一態様において、ＮＣＩ３２０は、ＮＦＣ対応のアンテナ（NFC enabled antenna）とＮＦＣコントローラ３１２との間の通信を可能にするように動作することができる。ＮＣＩ３２０は、リスニングモードおよび／またはポーリングモードで機能するように動作可能であってよい。パッシブ通信モードの通信の間、通信デバイス３１０がピア通信を始めるモードがどのモードであっても、ピア通信の継続時間（duration）の間、通信デバイス３１０がそのモードにとどまりうる。アクティブ通信モードの通信の間、通信デバイス３１０が、ピア通信リンクの間に、リスニングモードおよびポーリングモードの担当を切り換えることができる。
【００２８】
[0036]通信デバイス３１０は、ＮＦＣコントローラ（ＮＦＣＣ）３１２を含むことができる。一態様においては、ＮＦＣＣ３１２が、ＲＦディスカバリモジュール３１４を含むことができる。ＲＦディスカバリモジュール３１４は、ピアモード通信を可能にするためのディスカバリプロセスの一部としてＲＦディスカバリループを使用してＲＦディスカバリを実行するように動作可能であってよい。ＤＨ３４０が、ＲＦディスカバリに関する種々の機能を実行するようにＮＦＣＣ３１２に促すためのコマンドを生成するように動作可能であってよい。
【００２９】
[0037]通信デバイス３１０は、ＮＦＣピア通信モジュール３５０を含むことができる。ＮＦＣピア通信モジュール３５０は、ピア通信のための種々のモードおよび／または構成を可能にするように動作可能であってよい。一態様においては、ＮＦＣピア通信モジュール３５０が、異なるビットレートが各々の方向に使用されうるピアモード通信を構成するように動作可能であってよいビットレート構成モジュール３５２を含むことができる。一態様においては、ビットレート構成モジュール３５２が、イニシエータからターゲットへのビットレート３５４およびターゲットからイニシエータへのビットレート３５６を構成することができる。一態様において、イニシエータからターゲットへのビットレート３５４は、ターゲットからイニシエータへのビットレート３５６と同じになりうる。別の態様においては、ビットレート構成モジュール３５２が、カレント（current）（例えば、デフォルトのビットレート）を維持するように通信デバイス（例えば、３１０、３３０）を促す値でターゲットへのビットレート３５４およびターゲットからイニシエータへのビットレート３５６を構成することができる。例えば、通信デバイスがＮＦＣ−ＦのＲＦテクノロジーに基づく通信をサポートするための準備完了状態にある場合、４２４キロビット／秒（ｋｂｐｓ）というデフォルト値が使用されうる。別の態様においては、ビットレート構成モジュール３５２が、１つまたは複数のビットレートのオプションを使用するように通信デバイス（例えば、３１０、３３０）を促す値でターゲットへのビットレート３５４およびターゲットからイニシエータへのビットレート３５６を構成することができる。例えば、異なるビットレートのオプションは、これらに限られるわけではないが、１０６ｋｂｐｓ、２１２ｋｂｐｓ、４２４ｋｂｐｓ、などを含むことができる。表１が、デバイスアクティベーション（device activation）の間使用される例示的な構成パラメータを提供する。
【表１−１】
0006030223.tif 000002
【表１−２】
0006030223.tif 000003
【００３０】
[0038]表１に見られるように、通信の各方向に異なるビットレートが構成されうる。イニシエータからターゲットへのビットレート３５４が、ＣＯＮ＿ＢＩＴＲ＿ＮＦＣ＿ＤＥＰ＿Ｉ２Ｔパラメータを使用して示されうる。ターゲットからイニシエータへのビットレート３４６が、ＣＯＮ＿ＢＩＴＲ＿ＮＦＣ＿ＤＥＰ＿Ｔ２Ｉパラメータを使用して示されうる。
【００３１】
[0039]ＮＦＣピア通信モジュール３５０が、イニシエータからターゲットへのビットレート３５４およびターゲットからイニシエータへのビットレート３５６の値を、パラメータ選択要求メッセージにおいてパラメータとして使用することができる。例えば、パラメータ選択要求（例えば、ＰＳＬ＿ＲＥＱ）メッセージにおいて、イニシエータからターゲットへのビットレート３５４が、イニシエータ送信データレート（ＤＳＩ）値（data rate send by initiator value）として使用され、ターゲットからイニシエータへのビットレート３５６が、イニシエータ受信データレート（ＤＲＩ）値（data rate received by initiator value）として使用されうる。
【００３２】
[0040]通信デバイス（例えば、３１０、３３０）が前にＮＦＣ−ＡのＲＦテクノロジーを使用するように動作可能であった一態様においては、ＤＳＩおよびＤＲＩが、イニシエータからターゲットへのビットレート３５４およびターゲットからイニシエータへのビットレート３５６のパラメータから以下のように計算されうる。イニシエータからターゲットへのビットレート３５４（例えば、ＣＯＮ＿ＢＩＴＲ＿ＮＦＣ＿ＤＥＰ＿Ｉ２Ｔ）が、０または１のいずれかに等しい場合、ＮＦＣピア通信モジュール３５０は、ＤＳＩを０００ｂに等しく設定する。さらに、イニシエータからターゲットへのビットレート３５４（例えば、ＣＯＮ＿ＢＩＴＲ＿ＮＦＣ＿ＤＥＰ＿Ｉ２Ｔ）が、２に等しい場合、ＮＦＣピア通信モジュール３５０は、ＤＳＩを００１ｂに等しく設定する。さらに、イニシエータからターゲットへのビットレート３５４（例えば、ＣＯＮ＿ＢＩＴＲ＿ＮＦＣ＿ＤＥＰ＿Ｉ２Ｔ）が、３以上である場合、ＮＦＣピア通信モジュール３５０は、ＤＳＩを０１０ｂに等しく設定する。同様に、ターゲットからイニシエータへのビットレート３５６（例えば、ＣＯＮ＿ＢＩＴＲ＿ＮＦＣ＿ＤＥＰ＿Ｔ２Ｉ）が、０または１のいずれかに等しい場合、ＮＦＣピア通信モジュール３５０は、ＤＲＩを０００ｂに等しく設定する。ターゲットからイニシエータへのビットレート３５６（例えば、ＣＯＮ＿ＢＩＴＲ＿ＮＦＣ＿ＤＥＰ＿Ｔ２Ｉ）が、２に等しい場合、ＮＦＣピア通信モジュール３５０は、ＤＲＩを００１ｂに等しく設定する。ターゲットからイニシエータへのビットレート３５６（例えば、ＣＯＮ＿ＢＩＴＲ＿ＮＦＣ＿ＤＥＰ＿Ｔ２Ｉ）が、３以上である場合、ＮＦＣピア通信モジュール３５０は、ＤＲＩを０１０ｂに等しく設定する。
【００３３】
[0041]通信デバイス（例えば、３１０、３３０）が前にＮＦＣ−ＦのＲＦテクノロジーを使用するように動作可能であった一態様においては、ＤＳＩおよびＤＲＩが、イニシエータからターゲットへのビットレート３５４およびターゲットからイニシエータへのビットレート３５６のパラメータから以下のように計算されうる。イニシエータからターゲットへのビットレート３５４（例えば、ＣＯＮ＿ＢＩＴＲ＿ＮＦＣ＿ＤＥＰ＿Ｉ２Ｔ）が、０に等しい場合、ＮＦＣピア通信モジュール３５０は、ＤＳＩを現在のビットレートに等しく設定する。イニシエータからターゲットへのビットレート３５４（例えば、ＣＯＮ＿ＢＩＴＲ＿ＮＦＣ＿ＤＥＰ＿Ｉ２Ｔ）が、１に等しい場合、ＮＦＣピア通信モジュール３５０は、ＤＳＩを０００ｂに等しく設定する。イニシエータからターゲットへのビットレート３５４（例えば、ＣＯＮ＿ＢＩＴＲ＿ＮＦＣ＿ＤＥＰ＿Ｉ２Ｔ）が、２に等しい場合、ＮＦＣピア通信モジュール３５０は、ＤＳＩを００１ｂに等しく設定する。イニシエータからターゲットへのビットレート３５４（例えば、ＣＯＮ＿ＢＩＴＲ＿ＮＦＣ＿ＤＥＰ＿Ｉ２Ｔ）が、３以上である場合、ＮＦＣピア通信モジュール３５０は、ＤＳＩを０１０ｂに等しく設定する。ターゲットからイニシエータへのビットレート３５６（例えば、ＣＯＮ＿ＢＩＴＲ＿ＮＦＣ＿ＤＥＰ＿Ｔ２Ｉ）が、０に等しい場合、ＮＦＣピア通信モジュール３５０は、ＤＲＩを現在のビットレートに等しく設定する。ターゲットからイニシエータへのビットレート３５６（例えば、ＣＯＮ＿ＢＩＴＲ＿ＮＦＣ＿ＤＥＰ＿Ｔ２Ｉ）が、１に等しい場合、ＮＦＣピア通信モジュール３５０は、ＤＲＩを０００ｂに等しく設定する。ターゲットからイニシエータへのビットレート３５６（例えば、ＣＯＮ＿ＢＩＴＲ＿ＮＦＣ＿ＤＥＰ＿Ｔ２Ｉ）が、２に等しい場合、ＮＦＣピア通信モジュール３５０は、ＤＲＩを００１ｂに等しく設定する。ターゲットからイニシエータへのビットレート３５６（例えば、ＣＯＮ＿ＢＩＴＲ＿ＮＦＣ＿ＤＥＰ＿Ｔ２Ｉ）が、３以上である場合、ＮＦＣピア通信モジュール３５０は、ＤＲＩを０１０ｂに等しく設定する。
【００３４】
[0042]一態様において、ビットレート構成モジュール３５２は、ＮＦＣ関連の動作（action）に関する種々の態様について種々のプロフィル構成を使用するようにさらに構成されうる。例えば、表２が、ピアツーピア（Ｐ２Ｐ）ポーリングに使用されうる構成パラメータを説明している。そのような態様において、テクノロジー検出プロセスが、両方向のＮＦＣ−Ｆについて４２４ｋｂｉｔ／ｓの速度を使用することができる。プロファイル構成パラメータの別の例では、表３が、ＮＦＣデータ交換フォーマット（ＮＤＥＦ）ポーリングの間に使用されうる構成パラメータを提供する。プロファイル構成パラメータの別の例では、表４が、Ｐ２ＰＮＤＥＦポーリングの間使用されうる構成パラメータを提供する。
【表２】
0006030223.tif 000004
【表３】
0006030223.tif 000005
【表４】
0006030223.tif 000006
【００３５】
[0043]別の態様においては、ＮＦＣピア通信モジュール３５０が、１つ以上の他の通信確立プロセス（例えば、リソリューションプロセス（resolution process））において使用されるターゲットへのビットレート３５４およびターゲットからイニシエータへのビットレート３５６の値を提供するように動作可能であってよいビットレート出力モジュール３５８をさらに含むことができる。表５が、デバイスアクティベーションの間に生成される例示的な出力パラメータの値を提供する。
【表５】
0006030223.tif 000007
【００３６】
[0044]表５に見られるように、イニシエータからターゲットへのビットレート３５４は、ＩＮＴ＿ＤＸ＿ＢＩＴ＿ＲＡＴＥ＿Ｉ２Ｔパラメータを使用して示され、ターゲットからイニシエータへのビットレート３４６は、ＩＮＴ＿ＤＸ＿ＢＩＴ＿ＲＡＴＥ＿Ｔ２Ｉパラメータを使用して示されうる。一態様においては、ビットレート出力モジュール３５８が、ＰＳＬ＿ＲＥＱ応答を処理することができる。そのような態様において、有効なＰＳＬ＿ＲＥＳ応答が受信されたとき、ビットレート出力モジュール３５８は、ＰＳＬ＿ＲＥＱのＤＳＩパラメータによって指定されたビットレートに従ってＩＮＴ＿ＤＸ＿ＢＩＴ＿ＲＡＴＥ＿Ｉ２Ｔを設定し、ＰＳＬ＿ＲＥＱのＤＲＩパラメータによって指定されたビットレートに従ってＩＮＴ＿ＤＸ＿ＢＩＴ＿ＲＡＴＥ＿Ｔ２Ｉを設定する。
【００３７】
[0045]動作時、通信デバイス３１０は、リモートＮＦＣデバイス３３０にパラメータ選択要求メッセージを送信することができる。パラメータ選択要求メッセージに含まれるＤＳＩ値に少なくとも部分的に基づいて、リモートＮＦＣデバイス３３０は、どのＮＦＣ  ＲＦテクノロジーがピア通信に使用されうるのかを判断することができる。例えば、リモートＮＦＣデバイス３３０がＮＦＣ−Ａに基づく通信の準備完了状態にあり、ＤＳＩ値がゼロの値（例えば、０００ｂ）に設定されている一態様においては、リモートＮＦＣデバイス３３０が、ＮＦＣ−Ａに基づくピア通信の準備完了状態を維持する。リモートＮＦＣデバイス３３０がＮＦＣ−Ａに基づく通信の準備完了状態にあり、ＤＳＩ値が非ゼロの値（例えば、００１ｂ、０１０ｂ）に設定されている別の例示的な態様においては、リモートＮＦＣデバイス３３０が、ＮＦＣ−Ａの準備完了状態からＮＦＣ−Ｆの準備完了状態に切り換わることができる。リモートＮＦＣデバイス３３０がＮＦＣ−Ｆに基づく通信の準備完了状態にあり、ＤＳＩ値がゼロの値（例えば、０００ｂ）に設定されているさらに別の態様においては、リモートＮＦＣデバイス３３０が、ＮＦＣ−Ｆの準備完了状態からＮＦＣ−Ａの準備完了状態に切り換わることができる。リモートＮＦＣデバイス３３０がＮＦＣ−Ｆに基づく通信の準備完了状態にあり、ＤＳＩ値が非ゼロの値（例えば、００１ｂ、０１０ｂ）に設定されている別の例示的な態様においては、リモートＮＦＣデバイス３３０が、ＮＦＣ−Ｆに基づくピア通信の準備完了状態を維持する。
【００３８】
[0046]上記の動作の態様を続けると、リモートＮＦＣデバイス３３０は、パラメータ選択要求メッセージの成功した受信を示す応答によってパラメータ選択要求メッセージに応答することができる。その後に、通信デバイス３１０のビットレート出力モジュール３５８が、デバイスアクティベーションプロセスに関する出力として、ターゲットへのビットレート３５４およびターゲットからイニシエータへのビットレート３５６の値を示すことができる。
【００３９】
[0047]したがって、通信デバイス３１０とリモートＮＦＣデバイス３３０との間のピア通信、ここにおいて各方向において異なるビットレートが使用されうる、を提供するためのシステムおよび方法が開示される。
【００４０】
[0048]図４〜図６が、提示される主題の種々の態様による種々の方法を示している。説明を簡単にする目的で、方法が一連の動作または連続するステップとして図示および説明されるが、一部の動作がここに図示および説明される順序とは異なる順序で生じてもよく、さらには／あるいは他の動作と同時に生じてもよいがゆえに、請求項に記載される主題が、動作の順序によって限定されることがないことを、理解および認識すべきである。例えば、代替的に、方法が、状態図などにおいて、一連の相互に関係した状態または事象として表されうることを、当業者であれば理解および認識できるであろう。さらに、必ずしも説明されるすべての動作が請求項に記載の主題による方法の実施に必要とは限らない。さらに、下記および本明細書の全体において開示される方法を、そのような方法のコンピュータへの運搬および伝送を容易にするために製造物上に記憶できることも、認識すべきである。本明細書において使用されるとき、用語「製造物」は、コンピュータ読取可能な任意のデバイス、キャリア（carrier）、または媒体からアクセスすることができるコンピュータプログラムを包含するように意図される。
【００４１】
[0049]図４が、通信環境４００におけるイニシエータＮＦＣデバイス４０２とターゲットＮＦＣデバイス４０４との間の一態様による通信を概念的に説明する呼のフロー図を示している。通信環境４００が、イニシエータＮＦＣデバイス４０２およびターゲットＮＦＣデバイス４０４を含むことができる。
【００４２】
[0050]動作４０６において、イニシエータＮＦＣデバイスが、ピアモード通信の確立に関する１つ以上のパラメータを構成することができる。一態様においては、イニシエータＮＦＣデバイスが、異なるビットレートの値を、ピアモード通信の間に通信の各方向の検出に使用されるように構成することができる。上述のように、イニシエータからターゲットへのビットレートが、ＣＯＮ＿ＢＩＴＲ＿ＮＦＣ＿ＤＥＰ＿Ｉ２Ｔパラメータを使用して示され、ターゲットからイニシエータへのビットレートが、ＣＯＮ＿ＢＩＴＲ＿ＮＦＣ＿ＤＥＰ＿Ｔ２Ｉパラメータを使用して示されうる。さらなる構成パラメータは、上記の表１に提供される。
【００４３】
[0051]動作４０８において、イニシエータＮＦＣデバイスが、ピア通信リンクの確立の一部としてターゲットＮＦＣデバイスにパラメータ選択要求メッセージを送信することができる。一態様においては、パラメータ選択要求（例えば、ＰＳＬ＿ＲＥＱ）メッセージにおいて、動作４０６において構成されたターゲットへのビットレートが、イニシエータ送信データレート（ＤＳＩ）値として使用され、動作４０６において構成されたターゲットからイニシエータへのビットレートが、イニシエータ受信データレート（ＤＲＩ）値として使用されうる。
【００４４】
[0052]動作４１０において、ターゲットＮＦＣデバイスが、パラメータ選択要求メッセージを解釈することができる。一態様においては、ターゲットＮＦＣデバイスが、受信したパラメータ選択要求メッセージ中の情報に基づいて１つ以上の構成を変更することができる。例えば、ターゲットＮＦＣデバイス４０４がＮＦＣ−Ａに基づく通信の準備完了状態にあり、ＤＳＩ値がゼロの値（例えば、０００ｂ）に設定されている一態様においては、ターゲットＮＦＣデバイス４０４が、ＮＦＣ−Ａに基づくピア通信の準備完了状態を維持することができる。ターゲットＮＦＣデバイス４０４がＮＦＣ−Ａに基づく通信の準備完了状態にあり、ＤＳＩ値が非ゼロの値（例えば、００１ｂ、０１０ｂ）に設定されている別の例示的な態様においては、ターゲットＮＦＣデバイス４０４が、ＮＦＣ−Ａの準備完了状態からＮＦＣ−Ｆの準備完了状態に変化することができる。ターゲットＮＦＣデバイス４０４がＮＦＣ−Ａに基づく通信の準備完了状態にあり、ＤＳＩ値がゼロの値（例えば、０００）に設定されている別の例示的な態様においては、ターゲットＮＦＣデバイス４０４が、通信のためのＮＦＣ−Ａの準備完了状態を維持することができ、イニシエータからターゲットへの方向においてＮＦＣ−Ａテクノロジーを使用する。ターゲットＮＦＣデバイス４０４がＮＦＣ−Ｆに基づく通信の準備完了状態にあり、ＤＳＩ値がゼロの値（例えば、０００ｂ）に設定されているさらに別の態様においては、ターゲットＮＦＣデバイス４０４が、ＮＦＣ−Ｆの準備完了状態からＮＦＣ−Ａの準備完了状態に切り換わることができる。ターゲットＮＦＣデバイス４０４がＮＦＣ−Ｆに基づく通信の準備完了状態にあり、ＤＳＩ値が非ゼロの値（例えば、００１ｂ、０１０ｂ）に設定されている別の例示的な態様においては、ターゲットＮＦＣデバイス４０４が、ＮＦＣ−Ｆに基づくピア通信の準備完了状態を維持することができる。
【００４５】
[0053]動作４１２において、ターゲットＮＦＣデバイス４０４が、イニシエータＮＦＣデバイス４０２にパラメータ選択応答メッセージを送信する。
【００４６】
[0054]動作４１４において、イニシエータＮＦＣデバイス４０２は、パラメータ選択応答の受信後に１つ以上の出力値を生成することができる。出力パラメータの例は、上記の表２に提供される。
【００４７】
[0055]図５が、ＮＦＣピアモード通信の各方向に異なるビットレートが使用されうる例示的なプロセス５００を説明するフロー図を示している。
【００４８】
[0056]ブロック５０２において、ターゲットＮＦＣデバイスは、パラメータ選択要求メッセージを受信することができる。一態様においては、パラメータ選択要求メッセージが、イニシエータＮＦＣデバイスからターゲットＮＦＣデバイスへの送信に使用されるべき第１のビットレート値と、ターゲットＮＦＣデバイスからイニシエータＮＦＣデバイスへの送信に使用されるべき第２のビットレート値とを含むことができる。一態様においては、第１のビットレート値および第２のビットレート値が、現在の設定のビットレートの維持を示す値、１０６ｋｂｐｓを示す値、２１２ｋｂｐｓを示す値、４２４ｋｂｐｓを示す値、などでありうる。別の態様においては、パラメータ選択要求（ＰＳＬ＿ＲＥＱ）メッセージにおいて、第１のビットレート値がイニシエータ送信データレート（ＤＳＩ）値であり、第２のビットレート値がイニシエータ受信データレート（ＤＲＩ）値でありうる。
【００４９】
[0057]ブロック５０４において、ターゲットＮＦＣデバイスは、受信したメッセージに基づいて準備完了サブ状態を変更するか否かを判断することができる。ターゲットＮＦＣデバイスがＮＦＣ−Ａに基づく通信の準備完了状態にあり、ＤＳＩ値がゼロの値（例えば、０００ｂ）に設定されている場合、ブロック５０６において、ターゲットＮＦＣデバイスは、ＮＦＣ−Ａに基づくピア通信の準備完了状態を維持することができる。さらに、ターゲットＮＦＣデバイスがＮＦＣ−Ａに基づく通信の準備完了状態にあり、ＤＳＩ値が非ゼロの値（例えば、００１ｂ、０１０ｂ）に設定されている場合、ブロック５０８において、ターゲットＮＦＣデバイスは、ＮＦＣ−Ａの準備完了状態からＮＦＣ−Ｆの準備完了状態に変化することができる。別の態様においては、ターゲットＮＦＣデバイスがＮＦＣ−Ｆに基づく通信の準備完了状態にあり、ＤＳＩ値がゼロの値（例えば、０００ｂ）に設定されている場合、ブロック５０８において、ターゲットＮＦＣデバイスは、ＮＦＣ−Ｆの準備完了状態からＮＦＣ−Ａの準備完了状態に切り換わることができる。さらに、ターゲットＮＦＣデバイスがＮＦＣ−Ｆに基づく通信の準備完了状態にあり、ＤＳＩ値が非ゼロの値（例えば、００１ｂ、０１０ｂ）に設定されている場合、ブロック５０６において、ターゲットＮＦＣデバイスは、ＮＦＣ−Ｆに基づくピア通信の準備完了状態を維持することができる。
【００５０】
[0058]ブロック５１０において、ターゲットＮＦＣデバイスは、ＰＳＬ＿ＲＱメッセージの成功した受信を示すパラメータ選択応答（例えば、ＰＳＬ＿ＲＥＳ）メッセージを送信することができる。
【００５１】
[0059]随意による態様においては、ブロック５１２において、ＰＳＬ＿ＲＥＱメッセージにて受信された値に基づいて、ターゲットＮＦＣデバイスおよびイニシエータＮＦＣデバイスが、イニシエータＮＦＣデバイスからターゲットＮＦＣデバイスへの送信のための第１のビットレートおよびターゲットＮＦＣデバイスからイニシエータＮＦＣデバイスへの送信のための第２のビットレートを使用して、ピアモード通信を実行することができる。
【００５２】
[0060]図６が、ＮＦＣピアモード通信の各方向に異なるビットレートが使用されうる別の例示的なプロセス６００を説明するフロー図を示している。
【００５３】
[0061]ブロック６０２において、イニシエータＮＦＣデバイスが、イニシエータＮＦＣデバイスからターゲットＮＦＣデバイスへの送信に使用されるべき第１のビットレート値およびターゲットＮＦＣデバイスからイニシエータＮＦＣデバイスへの送信に使用されるべき第２のビットレート値を判断する。一態様においては、第１のビットレート値および第２のビットレート値が、現在の設定のビットレートの維持を示す値、１０６ｋｂｐｓを示す値、２１２ｋｂｐｓを示す値、４２４ｋｂｐｓを示す値、などでありうる。
【００５４】
[0062]ブロック６０４において、イニシエータＮＦＣデバイスが、パラメータ選択要求メッセージにおいてターゲットＮＦＣデバイスに第１のビットレート値および第２のビットレート値を送信することができる。別の態様においては、パラメータ選択要求（ＰＳＬ＿ＲＥＱ）コマンドにおいて、第１のビットレート値がイニシエータ送信データレート（ＤＳＩ）値であり、第２のビットレート値がイニシエータ受信データレート（ＤＲＩ）値でありうる。
【００５５】
[0063]随意による態様においては、ブロック６０６において、イニシエータＮＦＣデバイスが、ターゲットＮＦＣデバイスからパラメータ選択応答（例えば、ＰＳＬ＿ＲＥＳ）を受信することができる。
【００５６】
[0064]別の随意による態様においては、イニシエータＮＦＣデバイスが、第１のビットレート値としてイニシエータＮＦＣデバイスからターゲットＮＦＣデバイスへの送信のための現在のビットレートを示す第１の出力パラメータ、および第２のビットレート値としてターゲットＮＦＣデバイスからイニシエータＮＦＣデバイスへの送信のための現在のビットレートを示す第２の出力パラメータを生成することができる。
【００５７】
[0065]そのような随意による態様においては、ブロック６１０において、生成された出力パラメータが、ピアモード通信の確立に関係する１つ以上の他のプロセス（例えば、リソリューションプロセス）における使用のために提供されうる。
【００５８】
[0066]ここで、図３を参照しつつ、図７にも目を向けると、通信デバイス７００の例示的なアーキテクチャが示されている。図７に示されるとおり、通信デバイス７００は、例えば受信アンテナ（図示されていない）から信号を受信し、受信した信号について典型的な動作（例えば、フィルタ処理、増幅、ダウンコンバート、など）を実行し、サンプルを得るためにこの調整済みの（conditioned）信号をデジタル化する受信機７０２を備えている。受信機７０２は、受信したシンボルを復調し、チャネル推定のためにプロセッサ７０６にそれらを提供することができる復調器７０４を備えることができる。プロセッサ７０６は、受信機７０２によって受信された情報の解析および／または送信機７２０による送信のための情報の生成に専用のプロセッサ、通信デバイス７００の１つ以上のコンポーネントを制御するプロセッサ、ならびに／あるいは受信機７０２によって受信された情報の解析、送信機７２０による送信のための情報の生成、および通信デバイス７００の１つ以上のコンポーネントの制御の両方を行うプロセッサでありうる。さらに、信号が、プロセッサ７０６によって処理された信号を変調することができる変調器７１８を介して送信機７２０による送信のために作成され（be prepared）うる。
【００５９】
[0067]通信デバイス７００は、これに限られるわけではないがプロセッサ７０６などの種々のコンポーネントに動作可能に結合され、送信されるべきデータ、受信されたデータ、利用可能なチャネルに関する情報、ＴＣＰフロー、分析された信号および／または干渉の強度に関するデータ、割り当てられたチャネル、電力、レート、などに関する情報、ならびにＮＦＣピアモード接続の確立を補助するための任意の他の適切な情報を保存することができるメモリ７０８をさらに備えることができる。
【００６０】
[0068]さらに、プロセッサ７０６、デバイスホスト７３４、ＮＦＣＣ７３０、および／またはＮＦＣピア通信モジュール７６０が、イニシエータＮＦＣデバイスからターゲットＮＦＣデバイスへの送信に使用されるべき第１のビットレート値およびターゲットＮＦＣデバイスからイニシエータＮＦＣデバイスへの送信に使用されるべき第２のビットレート値を含むパラメータ選択要求を受信するための手段と、第１のビットレート値に基づいて第１のターゲットサブ状態または第２のターゲットサブ状態のいずれかで機能するための手段とを提供することができる。第１のターゲットサブ状態は、第１のＮＦＣ  ＲＦテクノロジーに基づくピア通信に関連付けられうる。第２のターゲットサブ状態は、第２のＮＦＣ  ＲＦテクノロジーに基づくピア通信に関連付けられうる。
【００６１】
[0069]またさらに、プロセッサ７０６、デバイスホスト７３４、ＮＦＣＣ７３０、および／またはＮＦＣピア通信モジュール７６０は、イニシエータＮＦＣデバイスからターゲットＮＦＣデバイスへの送信に用いられるべき第１のビットレート値およびターゲットＮＦＣデバイスからイニシエータＮＦＣデバイスへの送信に用いられるべき第２のビットレート値を判断するための手段と、パラメータ選択要求メッセージにおいてターゲットＮＦＣデバイスに第１のビットレート値および第２のビットレート値を送信するための手段とを提供することができる。
【００６２】
[0070]本明細書に記載のデータストア（data store）（例えば、メモリ７０８）が、揮発性メモリまたは不揮発性メモリのいずれかであり得、あるいは揮発性および不揮発性メモリの両方を含みうることを、理解できるであろう。例として、これらに限られるわけではないが、不揮発性メモリは、読み出し専用メモリ（ＲＯＭ）、プログラム可能なＲＯＭ（ＰＲＯＭ）、電気的にプログラム可能なＲＯＭ（ＥＰＲＯＭ）、電気的に消去可能なＰＲＯＭ（ＥＥＰＲＯＭ）、またはフラッシュメモリを含むことができる。揮発性メモリは、外部キャッシュメモリとして働くランダムアクセスメモリ（ＲＡＭ）を含むことができる。例として、これらに限られるわけではないが、ＲＡＭは、シンクロナスＲＡＭ（ＳＲＡＭ）、ダイナミックＲＡＭ（ＤＲＡＭ）、シンクロナスＤＲＡＭ（ＳＤＲＡＭ）、ダブルデータレートＳＤＲＡＭ（ＤＤＲ  ＳＤＲＡＭ）、エンハンスドＳＤＲＡＭ（ＥＳＤＲＡＭ）、シンクリンクＤＲＡＭ（synchlink DRAM）（ＳＬＤＲＡＭ）、およびダイレクトラムバスＲＡＭ（direct Rambus RAM）（ＤＲＲＡＭ）などの多数の形態にて利用可能である。本件主題のシステムおよび方法のメモリ７０８は、これらに限られるわけではないが、これらのメモリおよび任意の他の適切な種類のメモリを備えることができる。
【００６３】
[0071]通信デバイス７００は、ＮＦＣコントローラ７３０を含むことができる。一態様において、ＮＦＣＣ７３０は、ＲＦディスカバリモジュール７３２を含むことができる。ＲＦディスカバリモジュール７３２は、ピアモード通信を可能にするためのディスカバリプロセスの一部としてＲＦディスカバリループ（RF discovery loop）（例えば、７１０）を用いたＲＦディスカバリを実行するように動作可能でありうる。ＤＨ７３４は、これに限られるわけではないがＲＦディスカバリなどの種々のＮＦＣ動作を実行するようにＮＦＣＣ７３０を促すためのコマンドを生成するように動作可能でありうる。
【００６４】
[0072]別の態様においては、通信デバイス７００が、ＮＣＩ７５０を含むことができる。一態様において、ＮＣＩ７５０は、ＮＦＣ対応のアンテナ（例えば、７０２、７２０）と、ＮＦＣコントローラ７３０と、ＤＨ７３４との間の通信を可能にするように動作可能でありうる。ＮＣＩ７５０は、リスニングモードおよび／またはポーリングモードで機能するように動作可能でありうる。パッシブ通信モードの通信の間、通信デバイス７００がピア通信を始めるモードがどのモードであっても、ピア通信の継続時間（duration）の間、通信デバイス７００がそのモードにとどまりうる。アクティブ通信モードの通信の間、通信デバイス７００が、ピア通信リンクの間に、リスニングモードおよびポーリングモードの担当を切り換えることができる。
【００６５】
[0073]別の態様においては、通信デバイス７００が、ＮＦＣピア通信モジュール７６０を含むことができる。ＮＦＣピア通信モジュール７６０は、ピア通信のための種々のモードおよび／または構成を可能にするように動作可能でありうる。一態様においては、ＮＦＣピア通信モジュール７６０が、異なるビットレートが各方向において使用されうるピアモード通信を構成するように動作可能でありうるビットレート構成モジュール７６２を含むことができる。一態様においては、ビットレート構成モジュール７６２が、イニシエータからターゲットへのビットレート７６４およびターゲットからイニシエータへのビットレート７６６を構成することができる。一態様においては、イニシエータからターゲットへのビットレート７６４が、ターゲットからイニシエータへのビットレート７６６と同じでありうる。別の態様においては、ビットレート構成モジュール７６２が、カレント（current）（例えば、デフォルトのビットレート）を維持するように通信デバイス７００を促す値のターゲットへのビットレート７６４およびターゲットからイニシエータへのビットレート７６６を構成することができる。例えば、通信デバイスがＮＦＣ−ＦのＲＦテクノロジーに基づく通信をサポートするための準備完了状態にある場合、４２４キロビット／秒（ｋｂｐｓ）というデフォルト値が使用されうる。別の態様においては、ビットレート構成モジュール７６２が、１つまたは複数のビットレートのオプションを使用するように通信デバイス７００を促す値のターゲットへのビットレート７６４およびターゲットからイニシエータへのビットレート７６６を構成することができる。例えば、異なるビットレートのオプションは、これらに限られるわけではないが、１０６ｋｂｐｓ、２１２ｋｂｐｓ、４２４ｋｂｐｓ、などを含むことができる。
【００６６】
[0074]一態様においては、ＮＦＣピア通信モジュール７６０が、イニシエータＮＦＣデバイスからの通信およびイニシエータＮＦＣデバイスへの通信に使用するためのビットレートを決定するように動作可能でありうるビットレートモジュール７７０を含むことができる。一態様においては、ビットレートモジュール７７０に、ＮＦＣピアモード通信に関して各方向に使用される異なるビットレート値が提供されうる。
【００６７】
[0075]別の態様においては、ＮＦＣピア通信モジュール７６０が、図４〜図６に関して述べられた１つ以上のプロセスのいずれかを実行するように動作可能でありうる。
【００６８】
[0076]さらに、通信デバイス７００は、ユーザインターフェイス７４０を含むことができる。ユーザインターフェイス７４０は、通信デバイス７００への入力を生成するための入力メカニズム７４２、および通信デバイス７００のユーザによる消費のための情報を生成するための出力メカニズム７４４を含むことができる。例えば、入力メカニズム７４２は、キーまたはキーボード、マウス、タッチスクリーンディスプレイ、マイクロホン、などのメカニズムを含むことができる。さらに、例えば、出力メカニズム７４４は、ディスプレイ、オーディオスピーカ、触覚フィードバックメカニズム、などを含むことができる。例示の態様においては、出力メカニズム７４４が、画像または映像のフォーマットであるメディアコンテンツを提示するように動作することができるディスプレイ、あるいはオーディオのフォーマットであるメディアコンテンツを提示するためのオーディオスピーカを含むことができる。
【００６９】
[0077]図８が、一態様に従ってＮＦＣピア通信に関して各方向において異なるビットレートの指定を可能にするように動作することができる例示的な通信システム８００のブロック図を示している。例えば、システム８００は、少なくとも一部分が通信デバイス（例えば、通信デバイス７００）に存在することができる。システム８００が、プロセッサ、ソフトウェア、またはこれらの組み合わせ（例えば、ファームウェア）によって実装される機能を表す機能ブロックでありうる機能ブロックを含むものとして表されていることを、理解されよう。システム８００は、関連して動作することができる電気的なコンポーネントの論理的なグループ化８０２を含む。
【００７０】
[0078]例えば、論理的なグループ化８０２は、イニシエータＮＦＣデバイスからターゲットＮＦＣデバイスへの送信に使用されるべき第１のビットレート値およびターゲットＮＦＣデバイスからイニシエータＮＦＣデバイスへの送信に使用されるべき第２のビットレート値を含むパラメータ選択要求を、ターゲットＮＦＣデバイスが受信するための手段を提供することができる電気的なコンポーネント８０４を含むことができる。一態様においては、第１のビットレート値および第２のビットレート値の各々が、これらに限られるわけではないが、現在の設定のビットレート値の維持を示す値、１０６ｋｂｐｓを示す値、２１２ｋｂｐｓを示す値、４２４ｋｂｐｓを示す値、などのビットレート値を含むことができる。別の態様においては、第１のビットレート値がＤＳＩ値であり、第２のビットレート値がＤＲＩ値でありうる。
【００７１】
[0079]さらに、論理的なグループ化８０２は、第１のビットレート値に基づいて第１のターゲットサブ状態または第２のターゲットサブ状態のいずれかで機能するための手段を提供することができる電気的なコンポーネント８０６を含むことができる。一態様においては、第１のターゲットサブ状態が、第１のＮＦＣ  ＲＦテクノロジーに基づくピア通信に関連付けられ、第２のターゲットサブ状態が、第２のＮＦＣ  ＲＦテクノロジーに基づくピア通信に関連付けられうる。別の態様においては、第１のターゲットサブ状態および第２のターゲットサブ状態は各々、これらに限られるわけではないがＴＡＲＧＥＴ＿Ａサブ状態、ＴＡＲＧＥＴ＿Ｆサブ状態、などのサブ状態でありうる。そのような態様において、ＴＡＲＧＥＴ＿Ａサブ状態は、ＮＦＣ−Ａ  ＲＦテクノロジーに基づくピア通信に関連付けられ、ＴＡＲＧＥＴ＿Ｆサブ状態は、ＮＦＣ−Ｆ  ＲＦテクノロジーに基づくピア通信に関連付けられうる。
【００７２】
[0080]さらに、随意による態様においては、論理的なグループ化８０２が、パラメータ選択応答（例えば、ＰＳＬ＿ＲＥＱ）をイニシエータＮＦＣデバイスに送信するための手段を提供できる電気的なコンポーネント８０８を含むことができる。一態様においては、パラメータ選択応答メッセージが、イニシエータＮＦＣデバイスからのパラメータ選択要求（例えば、ＰＳＬ＿ＲＥＱ）メッセージの受信に応答して送信されうる。
【００７３】
[0081]さらに、システム８００は、電気的なコンポーネント８０４、８０６、および８０８に関する機能を実行するためのインストラクションを保持し、電気的なコンポーネント８０４、８０６、８０８、などによって使用されるかまたは得られるデータを記憶するメモリ８１０を含むことができる。メモリ８１０に対して外部にあるものとして示されているが、電気的なコンポーネント８０４、８０６、および８０８のうちの１つ以上が、メモリ８１０内に存在してもよいことを、理解されよう。一例においては、電気的なコンポーネント８０４、８０６、および８０８が、少なくとも１つのプロセッサを含むことができ、あるいは各々の電気的なコンポーネント８０４、８０６、および８０８が、少なくとも１つのプロセッサの対応するモジュールであってよい。さらに、さらなる例または代案の例においては、電気的なコンポーネント８０４、８０６、および８０８が、コンピュータ読取可能な媒体を含むコンピュータプログラム製品であってよく、各々の電気的なコンポーネント８０４、８０６、および８０８が、コードに対応しうる。
【００７４】
[0082]図９が、ＮＦＣピア通信に関して各方向に異なるビットレートを指定することを可能にするように動作することができる一態様による例示的な通信システム９００のブロック図を示している。例えば、システム９００は、少なくとも一部分が通信デバイス（例えば、通信デバイス７００）内に存在することができる。システム９００が、プロセッサ、ソフトウェア、またはこれらの組み合わせ（例えば、ファームウェア）によって実装される機能を表す機能ブロックでありうる機能ブロックを含むものとして表されていることを、理解されよう。システム９００は、関連して動作することができる電気的なコンポーネントの論理的なグループ化９０２を含む。
【００７５】
[0083]例えば、論理的なグループ化９０２は、イニシエータＮＦＣデバイスからターゲットＮＦＣデバイスへの送信に使用されるべき第１のビットレート値およびターゲットＮＦＣデバイスからイニシエータＮＦＣデバイスへの送信に使用されるべき第２のビットレート値を、イニシエータＮＦＣデバイスが判断するための手段を提供することができる電気的なコンポーネント９０４を含むことができる。一態様においては、第１のビットレート値および第２のビットレート値の各々が、これらに限られるわけではないが、現在の設定のビットレート値の維持を示す値、１０６ｋｂｐｓを示す値、２１２ｋｂｐｓを示す値、４２４ｋｂｐｓを示す値、などのビットレート値を含むことができる。別の態様においては、第１のビットレート値がＤＳＩ値であり、第２のビットレート値がＤＲＩ値でありうる。
【００７６】
[0084]さらに、論理的なグループ化９０２は、第１のビットレート値および第２のビットレート値をパラメータ選択要求（例えば、ＰＳＬ＿ＲＥＱ）メッセージにてターゲットＮＦＣデバイスに送信するための手段を提供できる電気的なコンポーネント９０６を含むことができる。
【００７７】
[0085]さらに、随意による態様においては、論理的なグループ化９０２が、パラメータ選択要求メッセージの成功した受信を示すターゲットＮＦＣデバイスからのパラメータ選択応答（例えば、ＰＳＬ＿ＲＥＱ）を受信するための手段を提供することができる電気的なコンポーネント９０８を含むことができる。一態様においては、パラメータ選択応答メッセージが、イニシエータＮＦＣデバイスから送信されたパラメータ選択要求（例えば、ＰＳＬ＿ＲＥＱ）メッセージの受信に応答して送信されうる。
【００７８】
[0086]さらに、別の随意による態様においては、論理的なグループ化９０２が、第１のビットレート値としてイニシエータＮＦＣデバイスからターゲットＮＦＣデバイスへの送信のための現在のビットレートを示す第１の出力パラメータと、第２のビットレート値としてターゲットＮＦＣデバイスからイニシエータＮＦＣデバイスへの送信のための現在のビットレートを示す第２の出力パラメータとを生成するための手段を提供することができる電気的なコンポーネント９１０を含むことができる。そのような態様において、生成するための手段９１０は、リソリューションプロセスにおける使用のために第１および第２の出力パラメータを提供するための手段をさらに含むことができる。
【００７９】
[0087]さらに、システム９００は、電気的なコンポーネント９０４、９０６、９０８、および９１０に関する機能を実行するためのインストラクションを保持し、電気的なコンポーネント９０４、９０６、９０８、９１０、などによって使用されるかまたは得られるデータを記憶するメモリ９１２を含むことができる。メモリ９１２に対して外部にあるものとして示されているが、電気的なコンポーネント９０４、９０６、９０８、および９１０のうちの１つ以上が、メモリ９１２内に存在してもよいことを、理解されよう。一例においては、電気的なコンポーネント９０４、９０６、９０８、および９１０が、少なくとも１つのプロセッサを含むことができ、あるいは各々の電気的なコンポーネント９０４、９０６、９０８、および９１０が、少なくとも１つのプロセッサの対応するモジュールであってよい。さらに、さらなる例または代案の例においては、電気的なコンポーネント９０４、９０６、９０８、および９１０が、コンピュータ読取可能な媒体を含むコンピュータプログラム製品であってよく、各々の電気的なコンポーネント９０４、９０６、９０８、および９１０が、コードに対応しうる。
【００８０】
[0088]本出願において使用されるとき、用語「コンポーネント」、「モジュール」、「システム」、などは、これらに限られるわけではないがハードウェア、ファームウェア、ハードウェアとソフトウェアとの組み合わせ、ソフトウェア、または実行中のソフトウェアなどのコンピュータ関連のエンティティ（entity）を含むことが意図される。例えば、コンポーネントは、これらに限られるわけではないが、プロセッサ上で実行中のプロセス、プロセッサ、オブジェクト、実行ファイル（executable）、実行のスレッド、プログラム、および／またはコンピュータであってよい。例として、コンピュータデバイス上で動作しているアプリケーションおよびコンピュータデバイスの両方が、コンポーネントでありうる。１つ以上のコンポーネントが、プロセスおよび／または実行のスレッド内に存在することができ、コンポーネントは、１つのコンピュータ上に局在させられ、さらには／あるいは２つ以上のコンピュータの間に分散させられうる。さらに、これらのコンポーネントは、種々のデータ構造が記憶された種々のコンピュータ読取可能な媒体から実行できる。コンポーネントは、信号によってローカルシステム中で、分散システム中で、および／または他のシステムとのインターネットなどのネットワーク経由で、別のコンポーネントと相互作用する１つのコンポーネントからのデータなど、１つ以上のデータパケットを有する信号によるなどのローカルおよび／またはリモートプロセスによって通信することができる。
【００８１】
[0089]さらに、種々の態様が、有線端末または無線端末であってよい端末に関連して本明細書において説明されている。端末は、システム、デバイス、加入者ユニット、加入者局、モバイル局、モバイル、モバイルデバイス、リモート局、モバイル機器（ＭＥ）、リモート端末、アクセス端末、ユーザ端末、端末、通信デバイス、ユーザエージェント、ユーザデバイス、またはユーザ機器（ＵＥ）とも呼ばれうる。無線端末は、携帯電話機、衛星電話機、コードレス電話機、セッション・イニシエーション・プロトコル（ＳＩＰ）電話機、無線ローカルループ（ＷＬＬ）ステーション、携帯情報端末（ＰＤＡ）、無線接続能力を有するハンドヘルドデバイス、コンピュータデバイス、または無線モデムに接続された他の処理デバイスであってよい。さらに、種々の態様が、基地局に関連して本明細書において説明されている。基地局は、（１つまたは複数の）無線端末との通信に利用され得、アクセスポイント、ノードＢ、または何らかの他の用語でも呼ばれうる。
【００８２】
[0090]さらに、用語「または」は、排他的な「または」ではなく、包含的な「または」を意味することが意図される。すなわち、特に指定されず、あるいは文脈から明らかでない限り、「ＸがＡまたはＢを使用する」という表現は、自然の包含的な置換（permutations）のいずれかを意味することが意図される。すなわち、「ＸがＡまたはＢを使用する」という表現は、以下の事例、すなわち「ＸがＡを使用する」、「ＸがＢを使用する」、または「ＸがＡおよびＢの両方を使用する」のいずれかによって満足される。さらに、本出願および添付の特許請求の範囲において使用されるとき、冠詞「ａ」および「ａｎ」は、特に指定されず、あるいは単数形へと向けられることが文脈から明らかでない限り、通常は「１つ以上」を意味すると解釈されるべきである。
【００８３】
[0091]本明細書に記載の技術は、ＣＤＭＡ、ＴＤＭＡ、ＦＤＭＡ、ＯＦＤＭＡ、ＳＣ−ＦＤＭＡ、および他のシステムなどの種々の無線通信システムに使用されうる。用語「システム」および「ネットワーク」は、交換可能に使用されることが多い。ＣＤＭＡシステムは、ユニバーサル地上波無線アクセス（ＵＴＲＡ）、ｃｄｍａ２０００、などの無線技術を実装することができる。ＵＴＲＡは、ワイドバンドＣＤＭＡ（Ｗ−ＣＤＭＡ（登録商標））およびＣＤＭＡの他の変種を含む。さらに、ｃｄｍａ２０００は、ＩＳ−２０００、ＩＳ−９５、およびＩＳ−８５６の規格を包含する。ＴＤＭＡシステムは、Ｇｌｏｂａｌ  Ｓｙｓｔｅｍ  ｆｏｒ  Ｍｏｂｉｌｅ  Ｃｏｍｍｕｎｉｃａｔｉｏｎｓ（ＧＳＭ（登録商標））などの無線技術を実装することができる。ＯＦＤＭＡシステムは、Ｅｖｏｌｖｅｄ  ＵＴＲＡ（Ｅ−ＵＴＲＡ）、ウルトラ・モバイル・ブロードバンド（ＵＭＢ）、ＩＥＥＥ８０２．１１（Ｗｉ−Ｆｉ）、ＩＥＥＥ８０２．１６（ＷｉＭＡＸ）、ＩＥＥＥ８０２．２０、フラッシュＯＦＤＭＡ、などの無線技術を実装することができる。ＵＴＲＡおよびＥ−ＵＴＲＡは、ユニバーサル移動通信システム（ＵＭＴＳ）の一部である。３ＧＰＰロング・ターム・エボリューション（ＬＴＥ）は、ダウンリンク上でＯＦＤＭＡを採用し、アップリンク上でＳＣ−ＦＤＭＡを採用するＥ−ＵＴＲＡを使用するＵＭＴＳの一リリースである。ＵＴＲＡ、Ｅ−ＵＴＲＡ、ＵＭＴＳ、ＬＴＥ、およびＧＳＭは、「第３世代パートナーシッププロジェクト」（３ＧＰＰ）と呼ばれる組織からの文書に記載されている。さらに、ｃｄｍａ２０００およびＵＭＢは、「第３世代パートナーシッププロジェクト２」（３ＧＰＰ２）と呼ばれる組織からの文書に記載されている。さらに、そのような無線通信システムは、多くの場合に非ペアの無免許のスペクトル（unpaired unlicensed spectrums）を使用するピアツーピア（例えば、モバイルツーモバイル）アドホックネットワークシステム、８０２．ｘｘ無線ＬＡＮ、ブルートゥース、近距離無線通信（ＮＦＣ−Ａ、ＮＦＣ−Ｂ、ＮＦＣ−Ｆ、など）、ならびに任意の他の短距離または長距離無線通信技術をさらに含むことができる。
【００８４】
[0092]種々の態様または特徴が、いくつかのデバイス、コンポーネント、モジュール、などを含むことができるシステムに関して提示される。種々のシステムが、さらなるデバイス、コンポーネント、モジュール、などを含むことができ、さらには／あるいは図面に関連して説明されるデバイス、コンポーネント、モジュール、などをすべては含まなくてもよいことを、理解および認識されよう。これらの手法の組み合わせも使用可能である。
【００８５】
[0093]本明細書の開示の態様に関連して説明される種々の例示の論理、論理ブロック、モジュール、および回路は、汎用のプロセッサ、デジタル信号プロセッサ（ＤＳＰ）、特定用途向け集積回路（ＡＳＩＣ）、フィールドプログラマブルゲートアレイ（ＦＰＧＡ）または他のプログラマブルな論理デバイス、ディスクリートなゲート（discrete gate）またはトランジスタ論理、ディスクリートなハードウェアコンポーネント、あるいは本明細書に記載の機能を実行するように設計されたこれらの任意の組み合わせによって実装または実行されうる。汎用のプロセッサは、マイクロプロセッサでありうるが、代案においては、プロセッサが、任意の慣例のプロセッサ、コントローラ、マイクロコントローラ、または状態機械でありうる。プロセッサは、例えばＤＳＰとマイクロプロセッサとの組み合わせ、複数のマイクロプロセッサ、ＤＳＰコアと併せた１つ以上のマイクロプロセッサ、または任意の他のそのような構成など、コンピュータデバイスの組み合わせとしても実装されうる。さらに、少なくとも１つのプロセッサが、上述したステップおよび／または動作のうちの１つ以上を実行するように動作することができる１つ以上のモジュールを備えることができる。
【００８６】
[0094]さらに、本明細書に開示の態様に関連して説明される方法またはアルゴリズムのステップおよび／または動作は、ハードウェア、プロセッサによって実行されるソフトウェアモジュール、または両者の組み合わせにて直接的に具現化されうる。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーバブルディスク、ＣＤ−ＲＯＭ、または当技術分野において公知の任意の他の形態の記憶媒体に存在しうる。例示的な記憶媒体は、プロセッサが記憶媒体からの情報の読み出しおよび記憶媒体への情報の書き込みを行うことができるように、プロセッサに結合されうる。代案においては、記憶媒体がプロセッサに一体化されうる。さらに、いくつかの態様においては、プロセッサおよび記憶媒体がＡＳＩＣに存在しうる。さらに、ＡＳＩＣはユーザ端末に存在しうる。代案においては、プロセッサおよび記憶媒体が、ユーザ端末にディスクリートなコンポーネントとして存在しうる。さらに、いくつかの態様においては、方法またはアルゴリズムのステップおよび／または動作が、コンピュータプログラム製品に組み込まれうる機械で読取可能な媒体および／またはコンピュータ読取可能な媒体上のコードおよび／またはインストラクションの１つまたは任意の組み合わせまたはセットとして存在しうる。
【００８７】
[0095]１つ以上の態様においては、上述の機能が、ハードウェア、ソフトウェア、ファームウェア、またはこれらの任意の組み合わせにおいて実装されうる。ソフトウェアにて実現される場合、これらの機能が、コンピュータ読取可能な媒体上の１つ以上のインストラクションまたはコードとして記憶または送信されうる。コンピュータ読取可能な媒体は、或る場所から他の場所へのコンピュータプログラムの伝送を促進する任意の媒体を含むコンピュータ記憶媒体および通信媒体の両方を含む。記憶媒体は、コンピュータによってアクセスされうる任意の利用可能な媒体でありうる。これらに限られるわけではないが、例として、このようなコンピュータ読取可能な媒体は、ＲＡＭ、ＲＯＭ、ＥＥＰＲＯＭ、ＣＤ−ＲＯＭまたは他の光ディスクストレージ、磁気ディスクストレージまたは他の磁気ストレージデバイス、あるいは所望のプログラムコードをインストラクションまたはデータ構造の形態で搬送または記憶するために使用され得、コンピュータによってアクセスされうる任意の他の媒体を備えることができる。また、何らかの接続も、コンピュータ読取可能な媒体と呼ばれうる。例えば、ソフトウェアがウェブサイト、サーバ、または他のリモートソース（remote source）から、同軸ケーブル、光ファイバケーブル、ツイストペア、デジタル加入者線（ＤＳＬ）、あるいは赤外線、無線、およびマイクロ波などの無線技術を使用して送信される場合、同軸ケーブル、光ファイバケーブル、ツイストペア、ＤＳＬ、あるいは赤外線、無線、およびマイクロ波などの無線技術は、媒体の定義に含まれる。本明細書において使用されるとき、ディスク（ｄｉｓｋおよびｄｉｓｃ）は、コンパクトディスク（ＣＤ）、レーザディスク（登録商標）、光ディスク、デジタル多用途ディスク（ＤＶＤ）、フロッピー（登録商標）ディスク、およびブルーレイ（登録商標）ディスクを含み、ここでディスク（ｄｉｓｋ）が、通常はデータを磁気的に再生する一方で、ディスク（ｄｉｓｃ）は、通常はデータをレーザで光学的に再生する。上記の組み合わせもまた、コンピュータ読取可能な媒体の範囲内に含まれるべきである。
【００８８】
[0096]以上の開示は、例示の態様および／または態様を説明しているが、上述した態様および／または添付の特許請求の範囲によって定められるとおりの態様の範囲から逸脱することなく、種々の変更および改良が可能であることに、留意されよう。さらに、上述の態様および／または態様の構成要素が、単数にて説明または請求項に記載されうるが、単数への限定が明示的に述べられない限り、複数も想定される。さらに、任意の態様および／または態様のすべてまたは一部は、特にそのようでないと述べられない限り、任意の他の態様および／または態様のすべてまたは一部と一緒に利用されうる。
以下に、本願出願の当初の特許請求の範囲に記載された発明を付記する。
［Ｃ１］
ターゲット近距離通信（ＮＦＣ）デバイスによって、イニシエータＮＦＣデバイスから前記ターゲットＮＦＣデバイスへの送信に使用されるべき第１のビットレート値と、前記ターゲットＮＦＣデバイスから前記イニシエータＮＦＣデバイスへの送信に使用されるべき第２のビットレート値とを含むパラメータ選択要求を受信することと、
前記第１のビットレート値に基づいて、第１のターゲットサブ状態または第２のターゲットサブ状態のいずれかで機能することと、ここにおいて前記第１のターゲットサブ状態は第１のＮＦＣ無線周波数（ＲＦ）テクノロジーに基づくピア通信に関連付けられ、前記第２のターゲットサブ状態は第２のＮＦＣ  ＲＦテクノロジーに基づくピア通信に関連付けられる、を備える無線通信の方法。
［Ｃ２］
前記イニシエータＮＦＣデバイスにパラメータ選択応答を送信することをさらに備えるＣ１に記載の方法。
［Ｃ３］
前記第１のビットレート値および前記第２のビットレート値の各々は、現在の設定のビットレートの維持を示す値、１０６ｋｂｐｓを示す値、２１２ｋｂｐｓを示す値、または４２４ｋｂｐｓを示す値の中からのビットレート値を含むＣ１に記載の方法。
［Ｃ４］
前記第１のターゲットサブ状態および前記第２のターゲットサブ状態は各々、ＴＡＲＧＥＴ＿Ａサブ状態またはＴＡＲＧＥＴ＿Ｆサブ状態の中からのサブ状態であり、ここにおいて前記ＴＡＲＧＥＴ＿Ａサブ状態は、ＮＦＣ−Ａ  ＲＦテクノロジーに基づくピア通信に関連付けられ、前記ＴＡＲＧＥＴ＿Ｆサブ状態は、ＮＦＣ−Ｆ  ＲＦテクノロジーに基づくピア通信に関連付けられるＣ１に記載の方法。
［Ｃ５］
前記第１のビットレート値は、イニシエータ送信データレート（ＤＳＩ）値であり、前記第２のビットレート値は、イニシエータ受信データレート（ＤＲＩ）値であるＣ１に記載の方法。
［Ｃ６］
イニシエータＮＦＣデバイスによって、前記イニシエータＮＦＣデバイスからターゲットＮＦＣデバイスへの送信に使用されるべき第１のビットレート値と、前記ターゲットＮＦＣデバイスから前記イニシエータＮＦＣデバイスへの送信に使用されるべき第２のビットレート値とを判断することと、
パラメータ選択要求メッセージにて前記ターゲットＮＦＣデバイスに、前記第１のビットレート値および前記第２のビットレート値を送信することと、を備える無線通信の方法。
［Ｃ７］
前記パラメータ選択要求メッセージの成功した受信を示すパラメータ選択応答を前記ターゲットＮＦＣデバイスから受信すること、をさらに備えるＣ６に記載の方法。
［Ｃ８］
前記第１のビットレート値として前記イニシエータＮＦＣデバイスから前記ターゲットＮＦＣデバイスへの送信のための現在のビットレートを示す第１の出力パラメータを生成し、前記第２のビットレート値として前記ターゲットＮＦＣデバイスから前記イニシエータＮＦＣデバイスへの送信のための現在のビットレートを示す第２の出力パラメータを生成することと、
リソリューションプロセスにおける使用のために前記第１および第２の出力パラメータを提供することと、をさらに備えるＣ６に記載の方法。
［Ｃ９］
前記第１のビットレート値および前記第２のビットレート値の各々は、現在の設定のビットレートの維持を示す値、１０６ｋｂｐｓを示す値、２１２ｋｂｐｓを示す値、または４２４ｋｂｐｓを示す値の中からのビットレート値を含むＣ６に記載の方法。
［Ｃ１０］
前記第１のビットレート値は、イニシエータ送信データレート（ＤＳＩ）値であり、前記第２のビットレート値は、イニシエータ受信データレート（ＤＲＩ）値であるＣ６に記載の方法。
［Ｃ１１］
ターゲット近距離通信（ＮＦＣ）デバイスによって、イニシエータＮＦＣデバイスから前記ターゲットＮＦＣデバイスへの送信に使用されるべき第１のビットレート値と、前記ターゲットＮＦＣデバイスから前記イニシエータＮＦＣデバイスへの送信に使用されるべき第２のビットレート値とを含むパラメータ選択要求を受信することと、
前記第１のビットレート値に基づいて、第１のターゲットサブ状態または第２のターゲットサブ状態のいずれかで機能することと、ここにおいて前記第１のターゲットサブ状態は第１のＮＦＣ無線周波数（ＲＦ）テクノロジーに基づくピア通信に関連付けられ、前記第２のターゲットサブ状態は第２のＮＦＣ  ＲＦテクノロジーに基づくピア通信に関連付けられる、
を行うためのコードを備えているコンピュータ読取可能な媒体を備えているコンピュータプログラム製品。
［Ｃ１２］
前記イニシエータＮＦＣデバイスにパラメータ選択応答を送信することをさらに備えるＣ１１に記載のコンピュータプログラム製品。
［Ｃ１３］
前記第１のビットレート値および前記第２のビットレート値の各々は、現在の設定のビットレートの維持を示す値、１０６ｋｂｐｓを示す値、２１２ｋｂｐｓを示す値、または４２４ｋｂｐｓを示す値の中からのビットレート値を含むＣ１１に記載のコンピュータプログラム製品。
［Ｃ１４］
前記第１のターゲットサブ状態および前記第２のターゲットサブ状態は各々、ＴＡＲＧＥＴ＿Ａサブ状態またはＴＡＲＧＥＴ＿Ｆサブ状態の中からのサブ状態であり、ここにおいて前記ＴＡＲＧＥＴ＿Ａサブ状態は、ＮＦＣ−Ａ  ＲＦテクノロジーに基づくピア通信に関連付けられ、前記ＴＡＲＧＥＴ＿Ｆサブ状態は、ＮＦＣ−Ｆ  ＲＦテクノロジーに基づくピア通信に関連付けられるＣ１１に記載のコンピュータプログラム製品。
［Ｃ１５］
前記第１のビットレート値は、イニシエータ送信データレート（ＤＳＩ）値であり、前記第２のビットレート値は、イニシエータ受信データレート（ＤＲＩ）値であるＣ１１に記載のコンピュータプログラム製品。
［Ｃ１６］
イニシエータＮＦＣデバイスによって、前記イニシエータＮＦＣデバイスからターゲットＮＦＣデバイスへの送信に使用されるべき第１のビットレート値と、前記ターゲットＮＦＣデバイスから前記イニシエータＮＦＣデバイスへの送信に使用されるべき第２のビットレート値とを判断することと、
パラメータ選択要求メッセージにて前記ターゲットＮＦＣデバイスに、前記第１のビットレート値および前記第２のビットレート値を送信することと、
を行うためのコードを備えているコンピュータ読取可能な媒体を備えているコンピュータプログラム製品。
［Ｃ１７］
前記パラメータ選択要求メッセージの成功した受信を示すパラメータ選択応答を前記ターゲットＮＦＣデバイスから受信すること、をさらに備えるＣ１６に記載のコンピュータプログラム製品。
［Ｃ１８］
前記第１のビットレート値として前記イニシエータＮＦＣデバイスから前記ターゲットＮＦＣデバイスへの送信のための現在のビットレートを示す第１の出力パラメータと、前記第２のビットレート値として前記ターゲットＮＦＣデバイスから前記イニシエータＮＦＣデバイスへの送信のための現在のビットレートを示す第２の出力パラメータとを生成することと、
リソリューションプロセスにおける使用のために前記第１および第２の出力パラメータを提供することと、
を行うためのコードをさらに備えるＣ１６に記載のコンピュータプログラム製品。
［Ｃ１９］
前記第１のビットレート値および前記第２のビットレート値の各々は、現在の設定のビットレートの維持を示す値、１０６ｋｂｐｓを示す値、２１２ｋｂｐｓを示す値、または４２４ｋｂｐｓを示す値の中からのビットレート値を含むＣ１６に記載のコンピュータプログラム製品。
［Ｃ２０］
前記第１のビットレート値は、イニシエータ送信データレート（ＤＳＩ）値であり、前記第２のビットレート値は、イニシエータ受信データレート（ＤＲＩ）値であるＣ１６に記載のコンピュータプログラム製品。
［Ｃ２１］
ターゲット近距離通信（ＮＦＣ）デバイスによって、イニシエータＮＦＣデバイスから前記ターゲットＮＦＣデバイスへの送信に使用されるべき第１のビットレート値と、前記ターゲットＮＦＣデバイスから前記イニシエータＮＦＣデバイスへの送信に使用されるべき第２のビットレート値とを含むパラメータ選択要求を受信するための手段と、
前記第１のビットレート値に基づいて、第１のターゲットサブ状態または第２のターゲットサブ状態のいずれかで機能するための手段と、ここにおいて前記第１のターゲットサブ状態は第１のＮＦＣ無線周波数（ＲＦ）テクノロジーに基づくピア通信に関連付けられ、前記第２のターゲットサブ状態は第２のＮＦＣ  ＲＦテクノロジーに基づくピア通信に関連付けられる、を備える無線通信のための装置。
［Ｃ２２］
前記イニシエータＮＦＣデバイスにパラメータ選択応答を送信するための手段をさらに備えるＣ２１に記載の装置。
［Ｃ２３］
前記第１のビットレート値および前記第２のビットレート値の各々は、現在の設定のビットレートの維持を示す値、１０６ｋｂｐｓを示す値、２１２ｋｂｐｓを示す値、または４２４ｋｂｐｓを示す値の中からのビットレート値を含むＣ２１に記載の装置。
［Ｃ２４］
前記第１のターゲットサブ状態および前記第２のターゲットサブ状態は各々、ＴＡＲＧＥＴ＿Ａサブ状態またはＴＡＲＧＥＴ＿Ｆサブ状態の中からのサブ状態であり、ここにおいて前記ＴＡＲＧＥＴ＿Ａサブ状態は、ＮＦＣ−Ａ  ＲＦテクノロジーに基づくピア通信に関連付けられ、前記ＴＡＲＧＥＴ＿Ｆサブ状態は、ＮＦＣ−Ｆ  ＲＦテクノロジーに基づくピア通信に関連付けられるＣ２１に記載の装置。
［Ｃ２５］
前記第１のビットレート値は、イニシエータ送信データレート（ＤＳＩ）値であり、前記第２のビットレート値は、イニシエータ受信データレート（ＤＲＩ）値であるＣ２１に記載の装置。
［Ｃ２６］
イニシエータＮＦＣデバイスによって、前記イニシエータＮＦＣデバイスからターゲットＮＦＣデバイスへの送信に使用されるべき第１のビットレート値と、前記ターゲットＮＦＣデバイスから前記イニシエータＮＦＣデバイスへの送信に使用されるべき第２のビットレート値とを判断するための手段と、
パラメータ選択要求メッセージにて前記ターゲットＮＦＣデバイスに、前記第１のビットレート値および前記第２のビットレート値を送信するための手段と、を備える無線通信のための装置。
［Ｃ２７］
前記パラメータ選択要求メッセージの成功した受信を示すパラメータ選択応答を前記ターゲットＮＦＣデバイスから受信するための手段、をさらに備えるＣ２６に記載の装置。
［Ｃ２８］
前記第１のビットレート値として前記イニシエータＮＦＣデバイスから前記ターゲットＮＦＣデバイスへの送信のための現在のビットレートを示す第１の出力パラメータと、前記第２のビットレート値として前記ターゲットＮＦＣデバイスから前記イニシエータＮＦＣデバイスへの送信のための現在のビットレートを示す第２の出力パラメータとを生成するための手段と、
リソリューションプロセスにおける使用のために前記第１および第２の出力パラメータを提供するための手段と、をさらに備えるＣ２６に記載の装置。
［Ｃ２９］
前記第１のビットレート値および前記第２のビットレート値の各々は、現在の設定のビットレートの維持を示す値、１０６ｋｂｐｓを示す値、２１２ｋｂｐｓを示す値、または４２４ｋｂｐｓを示す値の中からのビットレート値を含むＣ２６に記載の装置。
［Ｃ３０］
前記第１のビットレート値は、イニシエータ送信データレート（ＤＳＩ）値であり、前記第２のビットレート値は、イニシエータ受信データレート（ＤＲＩ）値であるＣ２６に記載の装置。
［Ｃ３１］
メモリと、
前記メモリに接続されたプロセッサと、
イニシエータＮＦＣデバイスからターゲットＮＦＣデバイスへの送信に使用されるべき第１のビットレート値と、前記ターゲットＮＦＣデバイスから前記イニシエータＮＦＣデバイスへの送信に使用されるべき第２のビットレート値とを含むパラメータ選択要求を受信するように構成されたトランシーバと、
前記メモリまたは前記プロセッサの少なくとも一方に結合され、前記第１のビットレート値に基づいて、第１のターゲットサブ状態または第２のターゲットサブ状態のいずれかで機能するように構成され、ここにおいて前記第１のターゲットサブ状態は第１のＮＦＣ無線周波数（ＲＦ）テクノロジーに基づくピア通信に関連付けられ、前記第２のターゲットサブ状態は第２のＮＦＣ  ＲＦテクノロジーに基づくピア通信に関連付けられる、ＮＦＣピアモード通信モジュールと、を備える、ＮＦＣ通信のための装置。
［Ｃ３２］
前記トランシーバが、前記イニシエータＮＦＣデバイスにパラメータ選択応答を送信するようにさらに構成されているＣ３１に記載のＮＦＣ通信のための装置。
［Ｃ３３］
前記第１のビットレート値および前記第２のビットレート値の各々は、現在の設定のビットレートの維持を示す値、１０６ｋｂｐｓを示す値、２１２ｋｂｐｓを示す値、または４２４ｋｂｐｓを示す値の中からのビットレート値を含むＣ３１に記載のＮＦＣ通信のための装置。
［Ｃ３４］
前記第１のターゲットサブ状態および前記第２のターゲットサブ状態は各々、ＴＡＲＧＥＴ＿Ａサブ状態またはＴＡＲＧＥＴ＿Ｆサブ状態の中からのサブ状態であり、ここにおいて前記ＴＡＲＧＥＴ＿Ａサブ状態は、ＮＦＣ−Ａ  ＲＦテクノロジーに基づくピア通信に関連付けられ、前記ＴＡＲＧＥＴ＿Ｆサブ状態は、ＮＦＣ−Ｆ  ＲＦテクノロジーに基づくピア通信に関連付けられるＣ３１に記載のＮＦＣ通信のための装置。
［Ｃ３５］
前記第１のビットレート値は、イニシエータ送信データレート（ＤＳＩ）値であり、前記第２のビットレート値は、イニシエータ受信データレート（ＤＲＩ）値であるＣ３１に記載のＮＦＣ通信のための装置。
［Ｃ３６］
トランシーバと、
メモリと、
前記メモリに結合されたプロセッサと、
前記メモリまたは前記プロセッサの少なくとも一方に結合され、イニシエータＮＦＣデバイスからターゲットＮＦＣデバイスへの送信に使用されるべき第１のビットレート値と、前記ターゲットＮＦＣデバイスから前記イニシエータＮＦＣデバイスへの送信に使用されるべき第２のビットレート値とを判断するように構成された、ＮＦＣピアモード通信モジュールと、を備え、
ここにおいて前記トランシーバは、パラメータ選択要求メッセージにて前記ターゲットＮＦＣデバイスに、前記第１のビットレート値および前記第２のビットレート値を送信するように構成されている、ＮＦＣ通信のための装置。
［Ｃ３７］
前記トランシーバが、前記パラメータ選択要求メッセージの成功した受信を示すパラメータ選択応答を前記ターゲットＮＦＣデバイスから受信するように構成されているＣ３６に記載のＮＦＣ通信のための装置。
［Ｃ３８］
前記ＮＦＣピアモード通信モジュールが、
前記第１のビットレート値として前記イニシエータＮＦＣデバイスから前記ターゲットＮＦＣデバイスへの送信のための現在のビットレートを示す第１の出力パラメータと、前記第２のビットレート値として前記ターゲットＮＦＣデバイスから前記イニシエータＮＦＣデバイスへの送信のための現在のビットレートを示す第２の出力パラメータとを生成することと、
リソリューションプロセスにおける使用のために前記第１および第２の出力パラメータを提供することと、
を行うようにさらに構成されているＣ３６に記載のＮＦＣ通信のための装置。
［Ｃ３９］
前記第１のビットレート値および前記第２のビットレート値の各々は、現在の設定のビットレートの維持を示す値、１０６ｋｂｐｓを示す値、２１２ｋｂｐｓを示す値、または４２４ｋｂｐｓを示す値の中からのビットレート値を含むＣ３６に記載のＮＦＣ通信のための装置。
［Ｃ４０］
前記第１のビットレート値は、イニシエータ送信データレート（ＤＳＩ）値であり、前記第２のビットレート値は、イニシエータ受信データレート（ＤＲＩ）値であるＣ３６に記載のＮＦＣ通信のための装置。
【図１】
0006030223.tif 000008
【図２】
0006030223.tif 000009
【図３】
0006030223.tif 000010
【図４】
0006030223.tif 000011
【図５】
0006030223.tif 000012
【図６】
0006030223.tif 000013
【図７】
0006030223.tif 000014
【図８】
0006030223.tif 000015
【図９】
0006030223.tif 000016